(57)【要約】【課題】  複数の状況通信装置と通信を行い、他の状況通信装置の状況を混乱なく表示する状況通信装置及び状況通信装置プログラムを提供する。【解決手段】  状況通信装置１は近隣の状況通信装置１同士において通信可能であり、種々のセンサ及びアクチュエータを備えている。そして、センサ値から自信の状況や自身を使用している人物の状況を示す指標情報が決定され、その指標情報に基づいてアクチュエータによりその状況を表示する。また、指標情報を他の情報通信装置１へ送信する。指標情報を受信した状況通信装置１では、一定期間に受信した指標情報の示す状況をカウントし、最も多い状況を他の情報通信装置１の状況やその使用者の状況として表示している（第１の実施の形態）。【選択図】  図１
2007036942.tif 000002
【特許請求の範囲】
【請求項１】
使用者の生体情報又は自身の状態を計測する１つ又は複数の計測手段と、
使用者又は自身の状況を表現する１つ又は複数の状況表現手段と、
前記計測手段により計測された計測情報又は前記計測情報に基づく情報である計測関連情報を送信する送信手段と、
前記計測関連情報を受信する受信手段と、
前記受信手段が受信した前記計測関連情報に応じて前記状況表現手段を制御する状況表現制御手段と、
前記受信手段が所定時間内に複数の前記計測関連情報を受信した場合に、いずれの前記計測関連情報に応じた状況を前記状況表現手段を用いて表現するかを決定する情報選択手段と、
前記状況表現制御手段は前記情報選択手段により選択された前記計測関連情報に応じて前記状況表現手段を制御することを特徴とする状況通信装置。
【請求項２】
前記情報選択手段は、
前記所定時間内に前記受信手段により受信された前記計測関連情報の件数を内容別に計数する計数手段を備え、
当該計数手段により計数された数が最も多い内容の前記計測関連情報を選択することを特徴とする請求項１に記載の状況通信装置。
【請求項３】
前記情報選択手段は、
前記所定時間内に前記受信手段により受信された前記計測関連情報の件数を内容別に計数する計数手段と、
前記計測関連情報に対応して、当該計測関連情報ごとに割り当てられた重みであるレベル値を記憶するレベル値記憶手段と、
前記計測関連情報ごとに、前記計数手段により計数された件数と前記レベル値記憶手段に記憶されているレベル値とを乗じた値であるレベル積値を算出するレベル積値算出手段と、
当該レベル積値算出手段により算出されレベル積値の平均値を算出する平均算出手段と、
当該平均算出手段により算出された前記平均値に最も近い前記レベル積値である最寄値を判定する最寄値判定手段とを備え、
当該最寄値判定手段により前記最寄値と判定されたレベル積値を有する前記計測関連情報を選択することを特徴とする請求項１又は２に記載の状況通信装置。
【請求項４】
前記情報選択手段は、
前記所定時間内に前記受信手段により受信された前記計測関連情報の件数を内容別に計数する計数手段と、
前記計測関連情報に対応して、当該計測関連情報ごとに割り当てられた重みであるレベル値を記憶するレベル値記憶手段と、
前記受信手段が受信した前記計測関連情報のうち最も前記レベル値の大きい情報又は最もレベル値の小さい情報を判定するレベル値判定手段とを備え、
当該レベル値判定手段により最もレベル値が大きい情報又は最もレベル値が小さい情報として判定された前記計測関連情報を選択することを特徴とする請求項１乃至３のいずれかに記載の状況通信装置。
【請求項５】
前記情報選択手段は、
前記所定時間内に前記受信手段により受信された前記計測関連情報の件数を内容別に計数する計数手段と、
前記計測関連情報に対応して、当該計測関連情報ごとに割り当てられた重みである重み係数を記憶する重み係数記憶手段と、
前記計測関連情報ごとに、前記計数手段により計数された件数と前記重み係数記憶手段に記憶されている重み係数を乗じた値を算出する重み係数積値算出手段とを備え、
当該重み係数積値算出手段により算出された値のうち最も大きい値を有する前記計測情報を選択することを特徴とする請求項１乃至４のいずれかに記載の状況通信装置。
【請求項６】
前記情報選択手段は、
前記所定時間内に前記受信手段により受信された前記計測関連情報のうち、最初に受信された前記計測関連情報を選択することを特徴とする請求項１乃至５のいずれかに記載の状況通信装置。
【請求項７】
前記送信手段は、前記計測関連情報と共に自身を他の状況通信装置と識別するためのＩＤ情報を送信し、
前記受信手段は、前記計測関連情報と共に前記ＩＤ情報を受信し、
前記情報選択手段は、
前記所定時間内に前記受信手段により受信された前記計測関連情報をＩＤ情報別に計数するＩＤ別計数手段を備え、
当該ＩＤ別計数手段により計数された数が最も多いＩＤ情報において、最後に受信された前記計測関連情報を選択することを特徴とする請求項１乃至６のいずれかに記載の状況通信装置。
【請求項８】
前記送信手段は、前記計測関連情報と共に自身を他の状況通信装置と識別するためのＩＤ情報を送信し、
前記受信手段は、前記計測関連情報と共に前記ＩＤ情報を受信し、
前記情報選択手段は、
前記計測関連情報を受信した際に、前記所定時間内にすでに同一の前記ＩＤ情報の前記計測関連情報を受信していた場合に、前回の受信から今回の受信までの時間を今回の受信の受信間隔時間として算出する受信間隔時間計測手段とを備え、
当該受信間隔時間計測手段により計測された前記受信間隔時間のうち、最も短い時間の受信間隔となった前記ＩＤ情報の前記計測関連情報を選択することを特徴とする請求項１乃至７のいずれかに記載の状況通信装置。
【請求項９】
前記計測情報から使用者の状況又は自身の状況に関する情報である指標情報を作成する指標情報作成手段を備え、
前記送信手段は前記計測関連情報として前記指標情報を送信し、
前記受信手段は前記計測関連情報として前記指標情報を受信し、
前記状況表現制御手段は、前記指標情報に応じて前記状況表現手段を制御することを特徴とする請求項１乃至８のいずれかに記載の状況通信装置。
【請求項１０】
前記指標情報作成手段は、
前記指標情報を決定するための指標情報決定手順を記憶する指標情報決定手順記憶手段と、
当該指標情報決定手順記憶手段に記憶されている前記指標情報決定手順に基づいて、前記計測情報から前記指標情報を決定する指標情報決定手段とを備え、
前記状況表現制御手段は、
前記状況表現手段を制御するための情報である制御情報を前記指標情報から決定するための制御情報決定手順を記憶する制御情報決定手順記憶手段と、
当該制御情報決定手順記憶手段に記憶されている前記制御情報決定手順に基づいて、前記指標情報から前記制御情報を決定する制御情報決定手段とを備えていることを特徴とする請求項９に記載の状況通信装置。
【請求項１１】
請求項１乃至１０のいずれかに記載の状況通信装置の各種処理手段としてコンピュータを機能させるための状況通信プログラム。
【発明の詳細な説明】
【技術分野】
【０００１】
本発明は、状況通信装置及び状況通信装置プログラムに関するものであり、詳細には、複数の状況通信装置と通信を行う状況通信装置及び状況通信装置プログラムに関するものである。
【背景技術】
【０００２】
従来、電子装置では種々の状況を表示するためには、状況の数だけＬＥＤ等の表示手段を設けて、点灯／点滅によって状況を表示させたり、特許文献１に記載の発明の通信装置のように点滅パターンを状況ごとに持たせることにより１つの表示手段で状況を表示させたりしている。また、特許文献２に記載の発明のコンテンツ表示装置では、ネットワークから種々のコンテンツが配信される際に、配信者側でより多くのコンテンツを利用者に閲覧してもうために、それぞれのコンテンツの一部を一定時間表示した後、自動的に別のコンテンツの一部を一定時間表示するというように、種々のコンテンツを利用者の手間なく順に表示させている。
【特許文献１】特開平１１−３０６４４５公報
【特許文献２】特開２００４−２２８７２１号公報
【発明の開示】
【発明が解決しようとする課題】
【０００３】
しかしながら、他の状況通信装置と通信を行い、他の状況通信装置の状況を受信して、その状況を表示する状況通信装置において、種々の状況ごとに表示手段の表示態様を持たせて状況を表示させる場合、多数の状況通信装置からの状況を受信した際には、特許文献２に記載の発明のコンテンツ表示装置のように、状況を一定時間表示して、次の状況を一定時間表示するというような表示方法では、全ての状況を順繰り表示すると、全ての状況を表示し終わるには多くの時間がかかってしまうという問題点がある。また、短い時間に表示させようとすると、表示が煩雑に切り替わってしまい表示している内容がよく分からなくなってしまうという問題点がある。
【０００４】
本発明は、上述の問題点を解決するためになされたものであり、複数の状況通信装置と通信を行い、他の状況通信装置の状況を混乱なく表示する状況通信装置及び状況通信装置プログラムを提供することを目的とする。
【課題を解決するための手段】
【０００５】
上記課題を解決するため、請求項１に係る発明の状況通信装置では、使用者の生体情報又は自身の状態を計測する１つ又は複数の計測手段と、使用者又は自身の状況を表現する１つ又は複数の状況表現手段と、前記計測手段により計測された計測情報又は前記計測情報に基づく情報である計測関連情報を送信する送信手段と、前記計測関連情報を受信する受信手段と、前記受信手段が受信した前記計測関連情報に応じて前記状況表現手段を制御する状況表現制御手段と、前記受信手段が所定時間内に複数の前記計測関連情報を受信した場合に、いずれの前記計測関連情報に応じた状況を前記状況表現手段を用いて表現するかを決定する情報選択手段と、前記状況表現制御手段は前記情報選択手段により選択された前記計測関連情報に応じて前記状況表現手段を制御することを特徴とする。
【０００６】
また、請求項２に係る発明の状況通信装置では、請求項１に記載の発明の構成に加えて、前記情報選択手段は、前記所定時間内に前記受信手段により受信された前記計測関連情報の件数を内容別に計数する計数手段を備え、当該計数手段により計数された数が最も多い内容の前記計測関連情報を選択することを特徴とする。
【０００７】
また、請求項３に係る発明の状況通信装置では、請求項１又は２に記載の発明の構成に加えて、前記情報選択手段は、前記所定時間内に前記受信手段により受信された前記計測関連情報の件数を内容別に計数する計数手段と、前記計測関連情報に対応して、当該計測関連情報ごとに割り当てられた重みであるレベル値を記憶するレベル値記憶手段と、前記計測関連情報ごとに、前記計数手段により計数された件数と前記レベル値記憶手段に記憶されているレベル値とを乗じた値であるレベル積値を算出するレベル積値算出手段と、当該レベル積値算出手段により算出されレベル積値の平均値を算出する平均算出手段と、当該平均算出手段により算出された前記平均値に最も近い前記レベル積値である最寄値を判定する最寄値判定手段とを備え、当該最寄値判定手段により前記最寄値と判定されたレベル積値を有する前記計測関連情報を選択することを特徴とする。
【０００８】
また、請求項４に係る発明の状況通信装置では、請求項１乃至３のいずれかに記載の発明の構成に加えて、前記情報選択手段は、前記所定時間内に前記受信手段により受信された前記計測関連情報の件数を内容別に計数する計数手段と、前記計測関連情報に対応して、当該計測関連情報ごとに割り当てられた重みであるレベル値を記憶するレベル値記憶手段と、前記受信手段が受信した前記計測関連情報のうち最も前記レベル値の大きい情報又は最もレベル値の小さい情報を判定するレベル値判定手段とを備え、当該レベル値判定手段により最もレベル値が大きい情報又は最もレベル値が小さい情報として判定された前記計測関連情報を選択することを特徴とする。
【０００９】
また、請求項５に係る発明の状況通信装置では、請求項１乃至４のいずれかに記載の発明の構成に加えて、前記情報選択手段は、前記所定時間内に前記受信手段により受信された前記計測関連情報の件数を内容別に計数する計数手段と、前記計測関連情報に対応して、当該計測関連情報ごとに割り当てられた重みである重み係数を記憶する重み係数記憶手段と、前記計測関連情報ごとに、前記計数手段により計数された件数と前記重み係数記憶手段に記憶されている重み係数を乗じた値を算出する重み係数積値算出手段とを備え、当該重み係数積値算出手段により算出された値のうち最も大きい値を有する前記計測情報を選択することを特徴とする。
【００１０】
また、請求項６に係る発明の状況通信装置では、請求項１乃至５のいずれかに記載の発明の構成に加えて、前記情報選択手段は、前記所定時間内に前記受信手段により受信された前記計測関連情報のうち、最初に受信された前記計測関連情報を選択することを特徴とする。
【００１１】
また、請求項７に係る発明の状況通信装置では、請求項１乃至６のいずれかに記載の発明の構成に加えて、前記送信手段は、前記計測関連情報と共に自身を他の状況通信装置と識別するためのＩＤ情報を送信し、前記受信手段は、前記計測関連情報と共に前記ＩＤ情報を受信し、前記情報選択手段は、前記所定時間内に前記受信手段により受信された前記計測関連情報をＩＤ情報別に計数するＩＤ別計数手段を備え、当該ＩＤ別計数手段により計数された数が最も多いＩＤ情報において、最後に受信された前記計測関連情報を選択することを特徴とする。
【００１２】
また、請求項８に係る発明の状況通信装置では、請求項１乃至７のいずれかに記載の発明の構成に加えて、前記送信手段は、前記計測関連情報と共に自身を他の状況通信装置と識別するためのＩＤ情報を送信し、前記受信手段は、前記計測関連情報と共に前記ＩＤ情報を受信し、前記情報選択手段は、前記計測関連情報を受信した際に、前記所定時間内にすでに同一の前記ＩＤ情報の前記計測関連情報を受信していた場合に、前回の受信から今回の受信までの時間を今回の受信の受信間隔時間として算出する受信間隔時間計測手段とを備え、当該受信間隔時間計測手段により計測された前記受信間隔時間のうち、最も短い時間の受信間隔となった前記ＩＤ情報の前記計測関連情報を選択することを特徴とする。
【００１３】
また、請求項９に係る発明の状況通信装置では、請求項１乃至８のいずれかに記載の発明の構成に加えて、前記計測情報から使用者の状況又は自身の状況に関する情報である指標情報を作成する指標情報作成手段を備え、前記送信手段は前記計測関連情報として前記指標情報を送信し、前記受信手段は前記計測関連情報として前記指標情報を受信し、前記状況表現制御手段は、前記指標情報に応じて前記状況表現手段を制御することを特徴とする。
【００１４】
また、請求項１０に係る発明の状況通信装置では、請求項９に記載の発明の構成に加えて、前記指標情報作成手段は、前記指標情報を決定するための指標情報決定手順を記憶する指標情報決定手順記憶手段と、当該指標情報決定手順記憶手段に記憶されている前記指標情報決定手順に基づいて、前記計測情報から前記指標情報を決定する指標情報決定手段とを備え、前記状況表現制御手段は、前記状況表現手段を制御するための情報である制御情報を前記指標情報から決定するための制御情報決定手順を記憶する制御情報決定手順記憶手段と、当該制御情報決定手順記憶手段に記憶されている前記制御情報決定手順に基づいて、前記指標情報から前記制御情報を決定する制御情報決定手段とを備えていることを特徴とする。
【００１５】
また、請求項１１に係る発明の状況通信プログラムでは、請求項１乃至１０のいずれかに記載の状況通信装置の各種処理手段としてコンピュータを機能させることを特徴とする。
【発明の効果】
【００１６】
請求項１に係る発明の状況通信装置では、１つ又は複数の計測手段が、使用者の生体情報又は自身の状態を計測し、１つ又は複数の状況表現手段が、使用者又は自身の状況を表現し、送信手段は、計測手段により計測された計測情報又は計測情報に基づく情報である計測関連情報を送信し、受信手段は、計測関連情報を受信し、状況表現制御手段は、受信手段が受信した計測関連情報に応じて状況表現手段を制御し、情報選択手段は、受信手段が所定時間内に複数の計測関連情報を受信した場合に、いずれの計測関連情報に応じた状況を状況表現手段を用いて表現するかを決定し、状況表現制御手段は情報選択手段により選択された計測関連情報に応じて状況表現手段を制御することができる。したがって、複数の状況通信装置の計測関連情報を短時間に受信しても、全ての計測情報についての表示を各々して、頻繁に表示が切り替わったり、表示が遅延したりすることがないので、状況通信装置の使用者によって分かりやすい表示を行うことができる。
【００１７】
また、請求項２に係る発明の状況通信装置では、請求項１に記載の発明の効果に加えて、情報選択手段の計数手段は、所定時間内に受信手段により受信された計測関連情報の件数を内容別に計数することができる。そして、計数手段により計数された数が最も多い内容の計測関連情報を選択することができる。したがって、複数の状況通信装置の計測関連情報を短時間に受信した際に、計測関連情報を送信した他の状況通信装置の状況のうち最も多い状況を表示することができるので、頻繁に表示が切り替わらず状況通信装置の使用者によって分かりやすい表示を行うことができる。また、状況通信装置の個々の状況でなく、計測関連情報を送信した状況通信装置をグループと捉え、グループの状況を表示することができる。
【００１８】
また、請求項３に係る発明の状況通信装置では、請求項１又は２に記載の発明の効果に加えて、情報選択手段の計数手段は、所定時間内に受信手段により受信された計測関連情報の件数を内容別に計数し、レベル値記憶手段は、計測関連情報に対応して、計測関連情報ごとに割り当てられた重みであるレベル値を記憶し、レベル積値算出手段は、計測関連情報ごとに、計数手段により計数された件数とレベル値記憶手段に記憶されているレベル値とを乗じた値であるレベル積値を算出し、平均算出手段は、レベル積値算出手段により算出されレベル積値の平均値を算出し、最寄値判定手段は、平均算出手段により算出された平均値に最も近いレベル積値である最寄値を判定することができる。そして、最寄値判定手段により最寄値と判定されたレベル積値を有する計測関連情報を選択することができる。したがって、状況に重みが付けられており、計測関連情報を送信した他の状況通信装置の状況のうち、重みも考慮して１つの状況を選択、表示することができるので、頻繁に表示が切り替わらず状況通信装置の使用者によって分かりやすい表示を行うことができる。また、状況通信装置の個々の状況でなく、計測関連情報を送信した状況通信装置をグループと捉え、グループの状況を表示することができる。
【００１９】
また、請求項４に係る発明の状況通信装置では、請求項１乃至３のいずれかに記載の発明の効果に加えて、情報選択手段の計数手段は、所定時間内に受信手段により受信された計測関連情報の件数を内容別に計数し、レベル値記憶手段は、計測関連情報に対応して、計測関連情報ごとに割り当てられた重みであるレベル値を記憶し、レベル値判定手段は、受信手段が受信した計測関連情報のうち最もレベル値の大きい情報又は最もレベル値の小さい情報を判定することができる。そして、レベル値判定手段により最もレベル値が大きい情報又は最もレベル値が小さい情報として判定された計測関連情報を選択することができる。したがって、状況に重みが付けられており、計測関連情報を送信した他の状況通信装置の状況のうち、重みも考慮して１つの状況を選択、表示することができるので、頻繁に表示が切り替わらず状況通信装置の使用者によって分かりやすい表示を行うことができる。また、状況通信装置の個々の状況でなく、計測関連情報を送信した状況通信装置をグループと捉え、グループの状況を表示することができる。
【００２０】
また、請求項５に係る発明の状況通信装置では、請求項１乃至４のいずれかに記載の発明の効果に加えて、情報選択手段の計数手段は、所定時間内に受信手段により受信された計測関連情報の件数を内容別に計数し、重み係数記憶手段は、計測関連情報に対応して、計測関連情報ごとに割り当てられた重みである重み係数を記憶し、重み係数積値算出手段は、計測関連情報ごとに、計数手段により計数された件数と重み係数記憶手段に記憶されている重み係数を乗じた値を算出することができる。そして、重み係数積値算出手段により算出された値のうち最も大きい値を有する計測情報を選択することができる。したがって、状況に重みが付けられており、計測関連情報を送信した他の状況通信装置の状況のうち、重みも考慮して１つの状況を選択、表示することができるので、頻繁に表示が切り替わらず状況通信装置の使用者によって分かりやすい表示を行うことができる。また、状況通信装置の個々の状況でなく、計測関連情報を送信した状況通信装置をグループと捉え、グループの状況を表示することができる。
【００２１】
また、請求項６に係る発明の状況通信装置では、請求項１乃至５のいずれかに記載の発明の効果に加えて、情報選択手段は、所定時間内に受信手段により受信された計測関連情報のうち、最初に受信された計測関連情報を選択することができる。したがって、計測関連情報を送信した他の状況通信装置の状況のうち、最初に受信された計測関連情報の状況を表示することができるので、頻繁に表示が切り替わらず状況通信装置の使用者によって分かりやすい表示を行うことができる。
【００２２】
また、請求項７に係る発明の状況通信装置では、請求項１乃至６のいずれかに記載の発明の効果に加えて、送信手段は、計測関連情報と共に自身を他の状況通信装置と識別するためのＩＤ情報を送信し、受信手段は、計測関連情報と共にＩＤ情報を受信し、情報選択手段のＩＤ別計数手段は、所定時間内に受信手段により受信された計測関連情報をＩＤ情報別に計数することができる。そして、ＩＤ別計数手段により計数された数が最も多いＩＤ情報において、最後に受信された計測関連情報を選択することができる。したがって、計測関連情報を送信した他の状況通信装置の状況のうち、最も多く計測関連情報を送信した状況通信装置の状況を選択、表示することができるので、頻繁に表示が切り替わらず状況通信装置の使用者によって分かりやすい表示を行うことができる。
【００２３】
また、請求項８に係る発明の状況通信装置では、請求項１乃至７のいずれかに記載の発明の効果に加えて、送信手段は、計測関連情報と共に自身を他の状況通信装置と識別するためのＩＤ情報を送信し、受信手段は、計測関連情報と共にＩＤ情報を受信し、情報選択手段の受信間隔時間計測手段は、計測関連情報を受信した際に、所定時間内にすでに同一のＩＤ情報の計測関連情報を受信していた場合に、前回の受信から今回の受信までの時間を今回の受信の受信間隔時間として算出することができる。そして、受信間隔時間計測手段により計測された受信間隔時間のうち、最も短い時間の受信間隔となったＩＤ情報の計測関連情報を選択することができる。したがって、計測関連情報を送信した他の状況通信装置の状況のうち、最も受信間隔の短い状況通信装置の状況を表示することができるので、頻繁に表示が切り替わらず状況通信装置の使用者によって分かりやすい表示を行うことができる。
【００２４】
また、請求項９に係る発明の状況通信装置では、請求項１乃至８のいずれかに記載の発明の効果に加えて、指標情報作成手段は、計測情報から使用者の状況又は自身の状況に関する情報である指標情報を作成することができる。そして、送信手段は計測関連情報として指標情報を送信し、受信手段は計測関連情報として指標情報を受信し、状況表現制御手段は、指標情報に応じて状況表現手段を制御することができる。したがって、状況通信装置の状況や状況通信装置の使用者の状況から指標情報を作成して、送信することができるので、送信元の状況通信装置において自身の状況若しくは自身の使用者の状況、又は、それらの状況を決定するための補助となる情報が作成されるので、指標情報を受信した状況通信装置では計測情報を解析する必要がない。また、計測情報をそのまま送信するよりもデータ量が少なくてすむ。
【００２５】
また、請求項１０に係る発明の状況通信装置では、請求項９に記載の発明の効果に加えて、指標情報作成手段の指標情報決定手順記憶手段は、指標情報を決定するための指標情報決定手順を記憶し、指標情報決定手段は、指標情報決定手順記憶手段に記憶されている指標情報決定手順に基づいて、計測情報から指標情報を決定することができる。そして、状況表現制御手段の制御情報決定手順記憶手段は、状況表現手段を制御するための情報である制御情報を指標情報から決定するための制御情報決定手順を記憶し、制御情報決定手段は、制御情報決定手順記憶手段に記憶されている制御情報決定手順に基づいて、指標情報から制御情報を決定するとことができる。したがって、制御情報を予め記憶されている情報から指標情報に基づいて決定して状況表現手段を制御することができるので、指標情報を受信した状況通信装置では、指標情報に基づいて制御情報を決定するのみで、種々の状況表現手段の制御を決定する必要がない。
【００２６】
また、請求項１１に係る発明の状況通信プログラムでは、請求項１乃至１０のいずれかに記載の状況通信装置の各種処理手段としてコンピュータを機能させることができる。
【発明を実施するための最良の形態】
【００２７】
以下、本発明の状況通信装置及び状況通信プログラムの第１の実施の形態から第７の実施の形態までを図面を参照して説明する。なお、第１の実施の形態から第７の実施の形態における状況通信装置１の構成や状況通信装置１同士の関係は同様である。そこで、始めに図１乃至図４を参照して、状況通信装置１について説明する。次いで、各実施の形態について詳しく説明する。
【００２８】
図１は、本発明の状況通信装置１を用いた状況表示システムの構成を示すシステム構成図である。図２は、状況通信装置１の平面図であり、図３は、状況通信装置１の底面図であり、図４は状況通信装置１の電気的構成を示すブロック図である。
【００２９】
図１に示すように、状況通信装置１は状況通信装置１同士において、近隣に存在する場合に通信が可能となっており、自信の状況や自身を使用している人物の状況を表示したり、通信した他の状況通信装置１の状況やその状況通信装置１を使用している人物の状況を表示したりすることができる。そして、図２及び図３に示すように、状況通信装置１は球体であり、サイズは人の手のひらに納まるものである。そして、その内部には、状況通信装置１の制御を司るＣＰＵ１０、ＲＯＭ２０、ＲＡＭ３０等（図４参照）を備えた基板が収納されている。そして、状況通信装置１の表面及び基板上には、各種モジュール（各種センサや各種アクチュエータ）が設けられている。
【００３０】
ここで、図４を参照して、状況通信装置１の電気的構成について説明する。状況通信装置１にはその制御を司るＣＰＵ１０が設けられており、バス８０を介して、各種のデータを一時的に記憶するＲＡＭ３０、制御プログラム等を記憶したＲＯＭ２０、時間を計測する計時装置４０、他の状況通信装置１と送受信するための送受信部５０等が接続している。そして、状況通信装置１の表面に設けられている各種モジュールが拡張ポート９０、Ｉ／Ｏインタフェイス７０、バス８０を介してＣＰＵ１０に接続している。そして、Ｉ／Ｏインタフェイス７０には、各種センサの値をデジタルデータに変換するＡＤ交換器７５が接続している。なお、図示しないが状況通信装置１はバッテリーにより電源供給されている。また、無線通信網の基地局と通信してインターネットに接続するための通信部やＰＣと接続するためのポート（例えば、有線のＵＳＢポートなど）を備え、インターネットを介して他の状況通信装置１と通信を行ったり、インターネット上のサーバに接続して種々の情報を授受したり、ＰＣと種々の情報を授受したりできるようにしてもよい。
【００３１】
図４に示す例では、各種モジュールとして、状況通信装置１の状態を計測するための計測手段である曲げセンサ１１，加速度センサ１２，温度センサ１３，光センサ１４，感圧センサ１５，湿度センサ１６，マイク２９が設けられており、状況通信装置１の使用者の状態を計測するための計測手段として、体温センサ１７，発汗センサ１８，心拍センサ１９が設けられている。
【００３２】
曲げセンサ１１は、歪ゲージを用いて状況通信装置１の表面の歪み具合を計測し、使用者により状況通信装置１が握られているかどうかやその強さを計測する。加速度センサ１２は、静電容量の変化、圧電セラミック等を利用する加速度センサであり、状況通信装置１の動き（状況通信装置１にかかった加速度とその方向）を計測し、使用者により状況通信装置１が振られている状況やその速さを計測する。温度センサ１３は、白金測温抵抗体、サーミスタ、熱電対などを用いている、所謂温度計であり、状況通信装置１の周囲の温度を計測する。光センサ１４は、フォトトランジスタやＣｄＳ等を利用した光の強さを計測するセンサであり、状況通信装置１の表面に設けられている。感圧センサ１５は、所謂圧力センサであり、状況通信装置１の表面に設けられ、導電性ゴムに定抵抗を直列接続し、ある電圧をかけて導電性ゴムの分圧値を測定することにより状況通信装置１にかかった圧力を計測し、使用者により状況通信装置１が押されていたり、どこかに押し付けられていたりするかを計測する。湿度センサ１６は、状況通信装置１の表面に設けられ、セラミックスや高分子を用いて状況通信装置１の周りの空気中の水分量を計測する。マイク２９は音声等、状況通信装置１の周囲の音を入力する。
【００３３】
体温センサ１７は、白金測温抵抗体、サーミスタ、熱電対などを用いている、所謂温度計であり、状況通信装置１に触れている手のひらや指の温度を計測する。発汗センサ１８は、小型の湿度センサであり、状況通信装置１の表面に設けられ、触れているものの表面の汗の量を、水分の蒸発量を測定することにより計測する。なお、発汗センサ１８の単位はｍｇ／ｃｍ２／ｍｉｎであり、１分間に１ｃｍ２で測定される汗の量が計測される。心拍センサ１９は所謂圧力センサであり、状況通信装置１の表面に設けられている。そして、血流の圧力を計測して触れている人の心拍（脈拍数）を計測する。
【００３４】
また、状況通信装置１の状況や状況通信装置１の利用者の状況を表示するための状況表示手段として、ＬＥＤ２１，フラッシュランプ２２，モーター２３，ヒーター２４，スピーカー２５が設けられている。そして、ＬＥＤ２１は種々の色、明るさで点灯する。フラッシュランプ２２は種々の強さで発光する。モーター２３は状況通信装置１を振動させる。ヒーター２４は状況通信装置１の表面を低温（利用者が暖かさを感じ、やけどをしない温度）で熱する。スピーカー２５は音声を出力する。
【００３５】
なお、状況表示手段は自身の状況や自身の使用者の状況を表示するものと、他の状況通信装置１の状況や他の状況通信装置１の使用者の状況を表示するものとが設けられており、球面が二分されて、片方の半球１０１（図２において見えている側の半球）の表面に他の状況通信装置１側の表示がなされ、他方の半球１０２（図３において見えている側の半球）の表面に自身側の表示がなされる。
【００３６】
第１〜第７の実施の形態では、ＬＥＤ２１での状況の表示を例に挙げて説明する。ＬＥＤ２１は合計１２個の設けられており（ＬＥＤ２１１〜ＬＥＤ２２２）、ＬＥＤ２１１〜ＬＥＤ２１６の６個は自身側の状況を表示するために半球１０１の内部に設けられ、ＬＥＤ２１７〜２２２の６個は他の状況通信装置１の状況を表示するために半球１０２の内部に設けられている。状況通信装置１の筐体は光を透過する素材（例えば、半透明のプラスチック樹脂等）で作られており、ＬＥＤ２１１〜ＬＥＤ２１６が点灯すると半球１０１側が光り、ＬＥＤ２１７〜２２２のいずれかが点灯すると半球１０２側が光る。なお、ＬＥＤ２１１，２１７は赤色のＬＥＤであり、ＬＥＤ２１２，２１８はピンクのＬＥＤであり、ＬＥＤ２１３，２１９は黄色のＬＥＤであり、ＬＥＤ２１４，２２０は白色のＬＥＤであり、ＬＥＤ２１５，２２１は緑色のＬＥＤであり、ＬＥＤ２１６，２２２は水色のＬＥＤであり、色によって状況が判別できるようになっている。
【００３７】
第１〜第７の実施の形態では、状況として「大興奮（状況番号１）」，「興奮（状況番号２）」，「ドキドキ（状況番号３）」，「緊張（状況番号４）」，「楽しい（状況番号５）」，「気になる（状況番号６）」を考える。そこで、状況通信装置１のＲＯＭ２０には各状況の場合にどの色のＬＥＤを点灯するかの情報（出力情報）が記憶されている。図５はＲＯＭ２０の出力情報記憶エリア１２１の構成を示す模式図である。図５に示すように、状況番号に対応してＬＥＤ色が記憶されている。状況番号１（大興奮）では色番号１（赤）、状況番号２（興奮）では色番号２（ピンク）、状況番号３（ドキドキ）では色番号３（黄）、状況番号４（緊張）では色番号４（白）、状況番号５（楽しい）では色番号５（緑）、状況番号６（気になる）では色番号６（水色）である。なお、状況番号「０」として、何保表示しない「非表示」という状態と、ＬＥＤを点灯させない「０」という色番号を設けている。
【００３８】
状況通信装置１は、各種センサ１１〜１９，２９において状況通信装置１を使用している人物（使用者）の生体情報や状況通信装置１の状態の変化を計測する。そして、計測結果である計測情報から、所定のルールに基づいて使用者の状況を示す指標情報が決定される。この指標情報は、自身で使用することもできるが、他の状況通信装置１へ送信することもできる。なお、第１〜第７の実施の形態では、この指標情報として状況通信装置１の使用者の状況を示す状況番号を用いる。
【００３９】
また、各種アクチュエータ２１〜２６は、自身の計測手段により計測された計測情報から決定された指標情報、又は、他の状況通信装置１から受信した指標情報から所定のルールに基づいて決定された表現形態で制御し、使用者の状況を表現することができる。第１〜第７の実施の形態では、前述したようにＲＯＭ２０の出力情報記憶エリア１２１に基づいて状況番号に対応した色のＬＥＤが点灯される。なお、指標情報が自身の計測情報から決定された指標情報について表示する場合には、ＬＥＤ２１１〜２１６の対応色のＬＥＤが点灯し、他の状況通信装置１から受信した指標情報について表示する場合には、ＬＥＤ２１７〜２２２の対応色のＬＥＤが点灯する。
【００４０】
ここで、他の状況通信装置１の状況を表示する場合について考える。１つの状況通信装置が一度だけ指標情報を送信してくる場合には、受信した指標情報で示されている状況番号に基づいて、ＬＥＤ２１７〜２２２のいずれかを点灯させればよいが、一定時間のうちに多数の状況通信装置１からの指標情報を受信したり、他の状況通信装置１から複数の指標情報を受信したりした場合、各々の指標情報で示されている状況を表示していると、どの状況を表示しているのか分からなくなってしまったり、表示が遅延したりする。そこで、本発明の状況通信装置及び状況通信プログラムでは、一定時間に受信した指標情報に基づいて、１つの状況を選択し、その状況をＬＥＤ２１７〜２２２のいずれかに表示する。この際の状況の選択方法が第１〜第７の実施の形態で異なる。
【００４１】
そこで、第１〜第７の実施の形態での状況の選択方法について簡単に説明し、その後、第１の実施の形態から順に詳細について説明する。第１の実施の形態では、所定時間（例えば、１０秒）に受信した指標情報により示されている状況を種類（状況番号）ごとにカウントし、最も多い状況をＬＥＤ２１７〜２２２に表示する。第２の実施の形態では、状況の種類（状況番号）ごとにレベル値が割り当てられており、各状況の件数とレベル値とを乗じた値の平均値を算出し、件数とレベル値との積が最も平均値に近い状況をＬＥＤ２１７〜２２２に表示する。第３の実施の形態では、状況の種類（状況番号）ごとにレベル値が割り当てられており、最も高いレベル値の状況をＬＥＤ２１７〜２２２に表示する。第４の実施の形態では、状況の種類（状況番号）ごとに重み係数が割り当てられており、各状況の件数と重み係数とを乗じた値が最も大きい状況をＬＥＤ２１７〜２２２に表示する。第５の実施の形態では、所定時間（例えば、１０秒）に最初に受信した指標情報により示されている状況をＬＥＤ２１７〜２２２に表示する。第６の実施の形態では、所定時間（例えば、１０秒）に最も多くの指標情報を送信した状況通信装置１の最後の指標情報により示されている状況をＬＥＤ２１７〜２２２に表示する。第７の実施の形態では、最も短い間隔で指標情報を送信した状況通信装置１の最後の指標情報により示されている状況をＬＥＤ２１７〜２２２に表示する。
【００４２】
まず、第１の実施の形態について図６乃至図１２を参照して説明する。第１の実施の形態では、所定時間（例えば、１０秒）に受信した指標情報により示されている状況を種類（状況番号）ごとにカウントし、最も多い状況をＬＥＤ２１７〜２２２に表示するものである。
【００４３】
図６は、第１の実施の形態のＲＡＭ３０の記憶エリアの構成を示す模式図であり、図７は、ＲＡＭ３０の受信件数記憶エリア１３５の構成を示す模式図である。そして、図８は、受信メイン処理のフローチャートであり、図９は、受信メイン処理の中で行われる受信処理のフローチャートであり、図１０は、受信処理の中で行われる判断処理のフローチャートであり、図１１は、出力メイン処理のフローチャートであり、図１２は、出力メイン処理の中で行われる他情報出力処理のフローチャートである。
【００４４】
まず、図６を参照して受信処理及び出力処理で使用される種々の変数について説明する。ＲＡＭ３０には、状況カウンタＫ記憶エリア１３１，状況番号記憶エリア１３２，状況数記憶エリア１３３，決定状況番号記憶エリア１３４，受信件数記憶エリア１３５，現在時刻記憶エリア１３６等が設けられている。状況カウンタＫ記憶エリア１３１では、判断処理において各状況の受信件数を読み出す際のループカウンタである状況カウンタＫが更新される。そして、状況番号記憶エリア１３２には、判断処理において状況ごとの受信件数をチェックする際にその時点で最も多い件数の状況番号が記憶され、状況数記憶エリア１３３には判断処理において状況ごとの受信件数をチェックする際にその時点で最も多い件数の状況の件数である状況数が記憶される。そして、決定状況番号記憶エリア１３４には、全ての状況の中で最も件数の多かった状況の状況番号が記憶される。そして、受信件数記憶エリア１３５には、所定時間（例えば、１０秒）に受信した指標情報の件数が状況ごとにカウントされた値が記憶される（図７参照）。そして、現在時刻記憶エリア１３６には一定時間の計測を開始する際の時刻がセットされる。
【００４５】
次に、図７を参照して受信件数記憶エリア１３５について説明する。図７に示すように、状況番号ごとに件数欄が設けられている。図７に示す例では、状況番号「１」は２件、状況番号「２」は３件、状況番号「３」は０件、状況番号「４」は４件、状況番号「５」は０件、状況番号「６」は１件である。
【００４６】
次に、図８乃至図１０のフローチャートを参照して、受信メイン処理について説明する。図８に示すように、この受信メイン処理は、状況通信装置１の電源がオンされると開始されて、受信処理が行われ（Ｓ１、図９参照）、電源オフの確認が行われて（Ｓ２）、電源がオフされていなければ（Ｓ２：ＮＯ）、再び受信処理が行われる（Ｓ１）。そして、電源がオフされるまで（Ｓ２：ＹＥＳ）、繰り返し受信処理が行われる（Ｓ１）。なお、この受信メイン処理と共に出力メイン処理（図１１参照）も電源オンに伴い開始され、電源がオフされるまで継続して実施されている。
【００４７】
次に、図９及び図１０を参照して第１の実施の形態における受信処理について説明する。図９に示すように、まず、受信件数記憶エリア１３５の件数欄の値が「０」にリセットされ、一定時間（例えば、１０秒）を計測するために計時装置４０から現在時刻が取得され、ＲＡＭ３０の現在時刻記憶エリア１３６にセットされて計測が開始される（Ｓ６）。
【００４８】
次いで、一定時間が経過したか否かの判断が行われる（Ｓ７）。ここでは、計時装置４０から現在時刻が取得され、現在時刻記憶エリア１３６に記憶されている時刻からの経過時間が計測されて、所定時間（例えば、１０秒）以上であるか否かが判断される。一定時間が経過していなければ（Ｓ７：ＮＯ）、他の状況通信装置１からデータを受信したか否かの判断が行われる（Ｓ８）。データを受信していなければ（Ｓ８：ＮＯ）、Ｓ７へ戻る。データを受信していれば（Ｓ８：ＹＥＳ）、受信したデータを解析して、受信件数記憶エリア１３５の指標情報が示している状況の状況番号欄に「１」が加算される（Ｓ９）。そして、Ｓ７へ戻る。
【００４９】
そして、Ｓ７〜Ｓ９の処理が繰り返し行われ、一定時間が経過したら（Ｓ７：ＹＥＳ））、判断処理が行われて（Ｓ１０、図１０参照）、受信メイン処理へ戻る。
【００５０】
判断処理では、図１０に示すように、まず、状況番号記憶エリア１３２に「状況無し」を示す初期値の「０」がセットされ、状況数記憶エリア１３３にも初期値の「０」がセットされる（Ｓ１１）。そして、状況カウンタＫ記憶エリア１３１の状況カウンタＫに初期値の「１」がセットされる（Ｓ１２）。
【００５１】
そして、全ての状況のチェックが終了したか否かを判断するために、状況カウンタＫの値（フローチャートでは「Ｋ」と表示する）が全ての状況の種類の数である「６」より大きいか否かの判断が行われる（Ｓ１３）。「６」より大きくなければ（Ｓ１３：ＮＯ）、受信件数記憶エリア１３５に記憶されている、Ｋ番目の状況の件数が状況数記憶エリア１３３に記憶されている値よりも大きいか否かの判断が行われる（Ｓ１４）。状況カウンタＫの値は「１」であるので、図７に示す例では状況番号「１」の件数は「２」であり、状況数「０」よりも大きいので（Ｓ１４：ＹＥＳ）、状況番号に状況カウンタＫの値「１」がセットされ（Ｓ１５）、状況数に状況番号「１」の件数「２」がセットされる（Ｓ１６）。そして、状況カウンタＫに「１」が加算されて「２」となり（Ｓ１７）、Ｓ１３へ戻る。
【００５２】
Ｓ１３では、状況カウンタＫの値は「２」であり「６」よりも大きくないので（Ｓ１３：ＮＯ）、２番目の状況の件数が受信件数記憶エリア１３５から「３」件と読み出され、状況数「２」よりも大きいので（Ｓ１４：ＹＥＳ）、状況番号に「２」がセットされて（Ｓ１５）、状況数に「３」がセットされる（Ｓ１６）。そして、状況カウンタＫに「１」が加算されて「３」となり（Ｓ１７）、Ｓ１３へ戻る。
【００５３】
そして、Ｓ１３では、状況カウンタＫの値は「３」であり「６」よりも大きくないので（Ｓ１３：ＮＯ）、２番目の状況の件数が受信件数記憶エリア１３５から「０」件と読み出され、状況数「３」よりも大きくないので（Ｓ１４：ＮＯ）、そのままＳ１７へ進み、状況カウンタＫに「１」が加算されて「３」となり（Ｓ１７）、Ｓ１３へ戻る。このようにして、Ｓ１３〜Ｓ１７の処理が繰り返され、状況カウンタＫの値が「６」よりも大きくなったら（Ｓ１３：ＹＥＳ）、Ｓ１８へ進み、状況番号記憶エリア１３２に記憶されている値が決定状況番号記憶エリア１３４へセットされて（Ｓ１８）、受信処理へ戻り、受信メイン処理へ戻る。なお、図７に示す例では、４番目の受信件数４件が最も多いので、状況番号記憶エリア１３２には「４」が記憶されており、決定状況番号記憶エリア１３４には「４」が記憶されることとなる。
【００５４】
次に、図１１及び図１２のフローチャートを参照して、出力メイン処理について説明する。まず、他の状況通信装置１からの受信結果として、決定状況番号記憶エリア１３４に記憶されている状況番号が取得される（Ｓ１０１）。そして、自身の各種センサ１１〜１９，２９からセンサ値（計測情報）が取得される（Ｓ１０２）。そして、取得されたセンサ値に基づいて自身の状況（環境）や使用者の状況（感情）が推論される感情推論／環境推論処理が行われ、指標情報が決定される（Ｓ１０３）。各種指標情報に対応して、その指標情報とされる各種センサの値の条件が予めＲＯＭ２０に記憶されており（「指標情報決定手順記憶手段」に該当する）、この感情推論／環境推論処理では、Ｓ１０２で取得されたセンサ値がどの指標情報の条件に該当するかの判断が行われて指標情報が決定される。そして、感情推論／環境推論処理で決定された指標情報に基づいて、自身の状況がＬＥＤ２１１〜２１６に表示される（Ｓ１０４）。
【００５５】
そして、他情報出力処理が行われ（Ｓ１０５、図１２参照）、他の状況通信装置１の状況がＬＥＤ２１７〜２２２に表示される。そして、Ｓ１３の感情推論／環境推論処理で決定された指標情報が他の状況通信装置１に送信され（Ｓ１０６）、電源がオフされていなければ（Ｓ１０７：ＮＯ）、Ｓ１０１へ戻り、繰り返しＳ１０１〜Ｓ１０７が行われ、継続的に自己の状況や他の状況通信装置の状況が表示される。なお、電源がオフされたら（Ｓ１０７：ＹＥＳ）、出力メイン処理は終了する。なお、後述する第６の実施の形態及び第７の実施の形態では、Ｓ１０６において指標情報と共に、自身を他の情報通信装置１と識別するためのＩＤを送信する。
【００５６】
他情報出力処理では、図１２に示すように、まず、状況カウンタＫに初期値の「１」がセットされる（Ｓ１１１）。そして、状況カウンタＫの値が全ての状況の種類の数である「６」より大きいか否かの判断が行われる（Ｓ１１２）。「６」より大きくなければ（Ｓ１０２：ＮＯ）、ＲＯＭ２０の出力情報記憶エリア１２１に記憶されている出力情報のテーブルのＫ番目の状況番号と、決定状況番号記憶エリア１３４に記憶されており、Ｓ１０１で取得された番号とが一致するか否かの判断が行われる（Ｓ１１３）。一致していなければ（Ｓ１１３：ＮＯ）、状況カウンタＫに「１」が加算されて（Ｓ１１４）、Ｓ１１２へ戻る。
【００５７】
出力情報のテーブルのＫ番目の状況番号と決定状況番号とが一致していれば（Ｓ１１３：ＹＥＳ）、Ｋ番目のＬＥＤ色番号欄の値が示しているＬＥＤが点灯されて（Ｓ１１５）。出力メイン処理へ戻る。図７に示す例では、決定情報番号が「４」であるので、４番目に記憶されている白色のＬＥＤ２２０が点灯される。なお、出力情報のテーブルのＫ番目の状況番号と決定状況番号とが一致せずに（Ｓ１１３：ＮＯ）、状況カウンタＫの値が「６」よりも大きくなったら（Ｓ１１２：ＹＥＳ）、０番目のＬＥＤ色番号欄の値の処理、すなわちＬＥＤは全て消灯される（Ｓ１１５）。そして、出力メイン処理へ戻る。
【００５８】
以上のようにして、第１の実施の形態では、受信した指標情報の示す状況のうち最も多い状況を他の状況通信装置１の状況としてＬＥＤ２１７〜２２２に表示することができる。よって、複数の人が状況通信装置１を持っている中で、全体の状況を掴みたいような場合には、もっとも多い状況が表示されるので有効である。
【００５９】
次に、図１３乃至図１５を参照して、第２の実施の形態について説明する。第２の実施の形態では、状況の種類（状況番号）ごとにレベル値が割り当てられており、各状況の件数とレベル値とを乗じた値の平均値を算出し、件数とレベル値との積が最も平均値に近い状況をＬＥＤ２１７〜２２２に表示する。
【００６０】
図１３は、第２の実施の形態のＲＡＭ３０の記憶エリアの構成を示す模式図であり、図１４は、第２の実施の形態のＲＯＭ２０のレベル値記憶エリア１２２の構成を示す模式図であり、図１５は、第３の実施の形態の判断処理のフローチャートである。
【００６１】
まず、図１３を参照して、受信処理及び出力処理で使用される種々の変数について説明する。ＲＡＭ３０には、現在時刻記憶エリア２３１，状況カウンタＫ記憶エリア２３２，決定状況番号記憶エリア２３３，受信件数記憶エリア２３４，状況数記憶エリア２３５，レベル値合計記憶エリア２３６，平均値記憶エリア２３７等が設けられている。
【００６２】
現在時刻記憶エリア２３１には一定時間の計測を開始する際の時刻がセットされ、状況カウンタＫ記憶エリア２３２では、判断処理において各状況の受信件数を読み出す際のループカウンタである状況カウンタＫが更新される。そして、決定状況番号記憶エリア２３３には、件数とレベル値との積が最も平均値に近い状況の状況番号が記憶される。受信件数記憶エリア２３４には、所定時間（例えば、１０秒）に受信した指標情報の件数が状況ごとにカウントされた値が記憶される。なお、ＲＡＭ３０の受信件数記憶エリア２３４については、第１の実施の形態の受信件数記憶エリア１３５（図７参照）と同様であるので、引用して説明を省略する。状況数記憶エリア２３５には判断処理において状況ごとの受信件数をチェックする際にその時点で最も多い件数の状況の件数である状況数が記憶される。そして、レベル値合計記憶エリア２３６には平均値を算出する際に使用されるレベル値合計が記憶される。具体的には、各状況の件数とレベル値を乗じた積の和である。そして、平均値記憶エリア２３７には、レベル値合計記憶エリア２３６に記憶されている値を受信した件数で割った、状況の件数とレベル値を乗じた積の平均値が記憶される。
【００６３】
次に、図１４を参照して、ＲＯＭ２０のレベル値記憶エリア１２２について説明する。図１４に示すように、レベル値記憶エリア１２２には状況番号欄及びレベル値欄が設けられており、状況番号に対応して各状況の重みとなる値が記憶されている。図１４に示す例では、状況番号「１」ではレベル値「６」であり、状況番号「２」ではレベル値「５」であり、状況番号「３」ではレベル値「４」であり、状況番号「４」ではレベル値「３」であり、状況番号「５」ではレベル値「２」であり、状況番号「６」ではレベル値「１」である。
【００６４】
次に、図１５のフローチャートを参照して、判断処理について説明する。なお、受信メイン処理、受信処理、出力メイン処理、他情報出力処理については第１の実施の形態と同様であるので、図８，図９，図１１，図１２のフローチャートの説明を引用して説明を省略する。
【００６５】
判断処理では、まず、レベル値合計記憶エリア２３６に初期値の「０」、状況数記憶エリア２３５に初期値の「０」がセットされる（Ｓ２１）。そして、状況カウンタＫ記憶エリア２３２の状況カウンタＫに初期値の「１」がセットされる（Ｓ２２）。
【００６６】
そして、全ての状況のチェックが終了したか否かを判断するために、状況カウンタＫの値が全ての状況の種類の数である「６」より大きいか否かの判断が行われる（Ｓ２３）。「６」より大きくなければ（Ｓ２３：ＮＯ）、受信件数記憶エリア２３４からＫ番目の状況の件数が読み出され、レベル値記憶エリア１２２からＫ番目の状況のレベル値が読み出される。そして、読み出された件数とレベル値の積がレベル値合計記憶エリア２３６に加算される（Ｓ２４）。そして、状況数記憶エリア２３５にＫ番目の状況の件数が加算される（Ｓ２５）。図７及び図１４に示す例では、１番目の状況の件数は「２」件、レベル値は「６」であり、レベル値合計は初期値の「０」であるので、「０＋２×６＝１２」がレベル値合計記憶エリア２３６に記憶される。そして、状況数記憶エリア２３５には初期値の「０」が記憶されているので、１番目の状況の件数「２」が加算されて「２」が記憶される。そして、状況カウンタＫに「１」が加算されて「２」となり（Ｓ２６）、Ｓ２３へ戻る。
【００６７】
Ｓ２３では、状況カウンタＫの値は「２」であり「６」よりも大きくないので（Ｓ２３：ＮＯ）、２番目の状況の件数が受信件数記憶エリア２３４から「３」件、レベル値が「５」と読み出され、レベル値合計記憶エリア２３６に記憶されている「１２」に「３×５＝１５」が加算されて「２７」が記憶される（Ｓ２４）。そして、状況数記憶エリア２３５に記憶されている「２」に「３」が加算されて「５」が記憶される（Ｓ２５）。そして、状況カウンタＫに「１」が加算されて「３」となり（Ｓ２６）、Ｓ２３へ戻る。
【００６８】
このようにして、Ｓ２３〜Ｓ２６の処理が繰り返され、状況カウンタＫの値が「６」よりも大きくなったら（Ｓ２３：ＹＥＳ）、Ｓ２７へ進み、平均値記憶エリア２３７にレベル値合計記憶エリア２３６に記憶されている値が状況数記憶エリア２３５に記憶されている値で割られた値が記憶され（Ｓ２７）、決定状況番号記憶エリア２３３に平均値記憶エリア２３７に記憶されている値の小数点第１位を四捨五入した整数値が記憶される（Ｓ２８）。そして、受信処理へ戻り、受信メイン処理へ戻る。図７及び図１４に示す例では、レベル値合計記憶エリア２３６には「４０」が記憶され、状況数記憶エリア２３５には「１０」が記憶されるので、平均値記憶エリア２３７には「４０÷１０＝４．０」が記憶され、決定状況番号記憶エリア２３３には「４」が記憶される。
【００６９】
そして、出力メイン処理の他情報出力処理において、このようにして決定された状況番号に対応した色のＬＥＤ２１７〜２２２が点灯される。
【００７０】
以上のようにして、第２の実施の形態では、状況の種類（状況番号）ごとにレベル値が割り当てられており、各状況の件数とレベル値とを乗じた値の平均値を算出し、件数とレベル値との積が最も平均値に近い状況をＬＥＤ２１７〜２２２に表示することができる。よって、複数の人が状況通信装置１を持っている状況で、全体の状況を掴みたいような場合には、もっとも多い状況が表示されるので有効である。
【００７１】
次に、図１６乃至図１８を参照して、第３の実施の形態について説明する。第３の実施の形態では、状況の種類（状況番号）ごとにレベル値が割り当てられており、最も高いレベル値の状況をＬＥＤ２１７〜２２２に表示する。
【００７２】
図１６は、第３の実施の形態のＲＡＭ３０の記憶エリアの構成を示す模式図であり、図１７は、第３の実施の形態のＲＯＭ２０のレベル値記憶エリア１２３の構成を示す模式図であり、図１８は、第３の実施の形態の判断処理のフローチャートである。
【００７３】
まず、図１６を参照して、受信処理及び出力処理で使用される種々の変数について説明する。ＲＡＭ３０には、現在時刻記憶エリア３３１，状況カウンタＫ記憶エリア３３２，決定状況番号記憶エリア３３３，受信件数記憶エリア３３４，状況番号記憶エリア３３５等が設けられている。
【００７４】
現在時刻記憶エリア３３１には出力処理において一定時間の計測を開始する際の時刻がセットされ、状況カウンタＫ記憶エリア３３２では、判断処理において各状況の受信件数を読み出す際のループカウンタである状況カウンタＫが更新される。そして、決定状況番号記憶エリア３３３には、最も高いレベル値の状況の状況番号が記憶される。受信件数記憶エリア３３４には、所定時間（例えば、１０秒）に受信した指標情報の件数が状況ごとにカウントされた値が記憶される。なお、ＲＡＭ３０の受信件数記憶エリア３３４については、第１の実施の形態の受信件数記憶エリア１３５（図７参照）と同様であるので、引用して説明を省略する。状況番号記憶エリア３３５には、判断処理において状況ごとの受信件数をチェックする際にその時点で最も高いレベル値の状況の状況番号が記憶される。
【００７５】
次に、図１７を参照して、ＲＯＭ２０のレベル値記憶エリア１２３について説明する。図１７に示すように、レベル値記憶エリア１２２には状況番号欄及びレベル値欄が設けられており、状況番号に対応して各状況の重みとなる値が記憶されている。図１７に示す例では、状況番号「１」ではレベル値「６」であり、状況番号「２」ではレベル値「５」であり、状況番号「３」ではレベル値「４」であり、状況番号「４」ではレベル値「３」であり、状況番号「５」ではレベル値「２」であり、状況番号「６」ではレベル値「１」であり、状況番号「０（状況無し）」ではレベル値は「０」である。つまり、状況番号「１」のレベル値が一番高く、「１」から順に「６」，「０」へ向かって、レベル値が低くなっている。
【００７６】
次に、図１８のフローチャートを参照して、判断処理について説明する。なお、受信メイン処理、受信処理、出力メイン処理、他情報出力処理については第１の実施の形態と同様であるので、図８，図９，図１１，図１２のフローチャートの説明を引用して説明を省略する。
【００７７】
判断処理では、まず、状況番号記憶エリア３３５に初期値の「０」がセットされる（Ｓ３１）。そして、状況カウンタＫ記憶エリア３２２の状況カウンタＫに初期値の「１」がセットされる（Ｓ３２）。つまり、一番レベル値の高い状況番号「１」からチェックが行われる。
【００７８】
そして、全ての状況のチェックが終了したか否かを判断するために、状況カウンタＫの値が全ての状況の種類の数である「６」より大きいか否かの判断が行われる（Ｓ３３）。「６」より大きくなければ（Ｓ３３：ＮＯ）、受信件数記憶エリア３３４からＫ番目の状況の件数が読み出され、「０」より大きいか否かの判断が行われる（Ｓ３４）。「０」より大きければ（Ｓ３４：ＹＥＳ）、一番レベル値の高い状況番号「１」の指標情報が１件でも存在したことになる。本第３の実施の形態では最もレベル値の高い状況が選択されるので、状況番号記憶エリア３３５に状況カウンタＫの値「１」が記憶され（Ｓ３５）、状況番号記憶エリア３３５に記憶されている値「１」が決定状況番号記憶エリア３３３に記憶され（Ｓ３７）、受信処理へ戻り、受信メイン処理へ戻る。
【００７９】
なお、１番目の状況の件数が「０」より大きくなければ（Ｓ３４：ＮＯ）、その状況の指標情報は受信されなかったことになるので、状況カウンタＫに「１」が加算されて「２」とされ（Ｓ３６）、Ｓ３３へ戻る。そして、状況カウンタＫの値が「６」より大きくないので（Ｓ３３：ＮＯ）、２番目の状況の件数が受信件数記憶エリア３３４から読み出され、「０」より大きいか否かの判断が行われる（Ｓ３４）。ここで、「０」より大きければ（Ｓ３４：ＹＥＳ）、次にレベル値の高い状況番号「２」の指標情報が１件でも存在したことになるので、状況番号記憶エリア３３５に状況カウンタＫの値「２」が記憶され（Ｓ３５）、状況番号記憶エリア３３５に記憶されている値「２」が決定状況番号記憶エリア３３３に記憶され（Ｓ３７）、受信処理へ戻り、受信メイン処理へ戻る。
【００８０】
２番目の状況の件数も「０」より大きくなければ（Ｓ３３：ＮＯ）、繰り返しＳ３３〜Ｓ３６の処理が行われる。そして、全ての状況について件数が「０」より大きくなく、状況カウンタＫの値が「６」より大きくなった場合には（Ｓ３３：ＹＥＳ）、一件も指標情報を受信していないということになる。そこで、状況番号記憶エリア３３５には初期値の「０」が記憶されているままなので、状況番号記憶エリア３３５に記憶されている値「０」が決定状況番号記憶エリア３３３に記憶されることとなる（Ｓ３７）。そして、受信処理へ戻り、受信メイン処理へ戻る。
【００８１】
このようにして、第３の実施の形態では、受信した指標情報のうち最もレベル値の高い状況が決定状況とされるので、受信した指標情報の示す状況のうち最もレベル値の高い状況を他の状況通信装置１の状況としてＬＥＤ２１７〜２２２に表示することができる。よって、複数の人が状況通信装置１を持っている中で、最もレベルの高い状況を知ることができる。
【００８２】
次に、図１９乃至図２１を参照して、第４の実施の携帯について説明する。第４の実施の形態では、状況の種類（状況番号）ごとに重み係数が割り当てられており、各状況の件数と重み係数とを乗じた値が最も大きい状況をＬＥＤ２１７〜２２２に表示する。
【００８３】
図１９は、第４の実施の形態のＲＡＭ３０の記憶エリアの構成を示す模式図であり、図２０は、第４の実施の形態のＲＯＭ２０の重み係数記憶エリア１２４の構成を示す模式図であり、図２１は、第４の実施の形態の判断処理のフローチャートである。
【００８４】
まず、図１９を参照して、受信処理及び出力処理で使用される種々の変数について説明する。ＲＡＭ３０には、現在時刻記憶エリア４３１，状況カウンタＫ記憶エリア４３２，決定状況番号記憶エリア４３３，受信件数記憶エリア４３４，状況番号記憶エリア４３５，スコア記憶エリア４３６が設けられている。
【００８５】
現在時刻記憶エリア４３１には出力処理において一定時間の計測を開始する際の時刻がセットされ、状況カウンタＫ記憶エリア４３２では、判断処理において各状況の受信件数を読み出す際のループカウンタである状況カウンタＫが更新される。そして、決定状況番号記憶エリア４３３には、各状況の件数と重み係数とを乗じた値が最も大きい状況の状況番号が記憶される。受信件数記憶エリア４３４には、所定時間（例えば、１０秒）に受信した指標情報の件数が状況ごとにカウントされた値が記憶される。なお、ＲＡＭ３０の受信件数記憶エリア４３４については、第１の実施の形態の受信件数記憶エリア１３５（図７参照）と同様であるので、引用して説明を省略する。状況番号記憶エリア４３５には判断処理において状況ごとの受信件数をチェックする際にその時点で最もスコアの高い状況の番号が記憶される。そして、スコア記憶エリア４３６にはスコアが記憶される。なお、スコアとは、状況の件数と重み係数を乗じた積である。
【００８６】
次に、図２０を参照して、ＲＯＭ２０の重み係数記憶エリア１２４について説明する。図２０に示すように、重み係数記憶エリア１２４には状況番号欄及び重み係数欄が設けられており、状況番号に対応して各状況の重みとなる値が記憶されている。図２０に示す例では、状況番号「１」では重み係数「１．０」であり、状況番号「２」では重み係数「０．９」であり、状況番号「３」では重み係数「１．２」であり、状況番号「４」では重み係数「０．５」であり、状況番号「５」では重み係数「１．０」であり、状況番号「６」では重み係数「１．１」である。状況番号「０（状況無し）」では重み係数「１．０」である。
【００８７】
次に、図２１のフローチャートを参照して、判断処理について説明する。なお、受信メイン処理、受信処理、出力メイン処理、他情報出力処理については第１の実施の形態と同様であるので、図８，図９，図１１，図１２のフローチャートの説明を引用して説明を省略する。
【００８８】
判断処理では、まず、スコア記憶エリア４３６に初期値の「０」、状況番号記憶エリア４３５に初期値の「０」がセットされる（Ｓ４１）。そして、状況カウンタＫ記憶エリア４３２の状況カウンタＫに初期値の「１」がセットされる（Ｓ４２）。
【００８９】
そして、全ての状況のチェックが終了したか否かを判断するために、状況カウンタＫの値が全ての状況の種類の数である「６」より大きいか否かの判断が行われる（Ｓ４３）。「６」より大きくなければ（Ｓ４３：ＮＯ）、受信件数記憶エリア４３４からＫ番目の状況の件数が読み出され、重み係数記憶エリア１２４からＫ番目の状況の重み係数が読み出される。そして、読み出された件数と重み係数の積がスコア記憶エリア４３６に記憶されている値と比較される（Ｓ４４）。そして、件数と重み係数の積がスコアよりも大きければ（Ｓ４４：ＹＥＳ）、状況番号記憶エリア４３５に状況カウンタＫの値が記憶され（Ｓ４５）、スコア記憶エリア４３６に件数と重み係数の積が記憶される（Ｓ４６）。図７及び図２０に示す例では、１番目の状況の件数は「２」件、重み係数は「１．０」であるので、「２×１．０＝２．０」がスコア記憶エリア４３６に記憶される。そして、状況カウンタＫに「１」が加算されて「２」となり（Ｓ４７）、Ｓ４３へ戻る。
【００９０】
Ｓ４３では、状況カウンタＫの値は「２」であり「６」よりも大きくないので（Ｓ４３：ＮＯ）、２番目の状況の件数が受信件数記憶エリア４３４から「３」件、重み係数が「０．９」と読み出され、件数と重み係数の積は「３×０．９＝２．７」となり、スコア記憶エリア４３６に記憶されている「２．０」よりも大きくなる（Ｓ４４：ＹＥＳ）。よって、状況番号記憶エリア４３５には「２」が記憶され（Ｓ４５）、スコア記憶エリア４３６には「２．７」が記憶される（Ｓ４６）。そして、状況カウンタＫに「１」が加算されて「３」となり（Ｓ４７）、Ｓ４３へ戻る。
【００９１】
Ｓ４３では、状況カウンタＫの値は「３」であり「６」よりも大きくないので（Ｓ４３：ＮＯ）、２番目の状況の件数が受信件数記憶エリア４３４から「０」件、重み係数が「１．２」と読み出され、件数と重み係数の積は「０×１．２＝０．０」となり、スコア記憶エリア４３６に記憶されている「２．７」よりも大きくないので（Ｓ４４：ＮＯ）、そのままＳ４７へ進み、状況カウンタＫに「１」が加算されて「４」となり（Ｓ４７）、Ｓ４３へ戻る。
【００９２】
このようにして、Ｓ４３〜Ｓ４７の処理が繰り返され、状況カウンタＫの値が「６」よりも大きくなったら（Ｓ４３：ＹＥＳ）、Ｓ４８へ進み、状況番号記憶エリア４３５に記憶されている値が決定状況番号記憶エリア４３３に記憶される（Ｓ４８）。そして、受信処理へ戻り、受信メイン処理へ戻る。図７及び図２０に示す例では、スコア記憶エリア４３６には「２．７」が記憶され、状況番号記憶エリア４３５には「２」が記憶されるので、決定状況番号記憶エリア４３３には「２」が記憶される。
【００９３】
そして、出力メイン処理の他情報出力処理において、このようにして決定された状況番号に対応した色のＬＥＤ２１７〜２２２が点灯される。
【００９４】
以上のようにして、第４の実施の形態では、状況の種類（状況番号）ごとに重み係数が割り当てられており、各状況の件数と重み係数とを乗じた値の平均値を算出し、件数とレベル値との積が最も平均値に近い状況をＬＥＤ２１７〜２２２に表示することができる。よって、複数の人が状況通信装置１を持っている状況で、全体の状況を掴みたいような場合には、もっとも多い状況が表示されるので有効である。
【００９５】
次に、図２２を参照して、第５の実施の形態について説明する。第５の実施の形態では、所定時間（例えば、１０秒）に最初に受信した指標情報により示されている状況をＬＥＤ２１７〜２２２に表示する。
【００９６】
図２２は第５の実施の形態の受信処理のフローチャートである。図２２に示すように、まず、ＲＡＭ３０の決定受信状況記憶エリアに初期値の「０」がセットされ、一定時間（例えば、１０秒）を計測するために計時装置４０から現在時刻が取得され、ＲＡＭ３０の現在時刻記憶エリアにセットされて計測が開始される（Ｓ５１）。
【００９７】
次いで、一定時間が経過したか否かの判断が行われる（Ｓ５２）。ここでは、計時装置４０から現在時刻が取得され、現在時刻記憶エリアに記憶されている時刻からの経過時間が計測されて、所定時間（例えば、１０秒）以上であるか否かが判断される。一定時間が経過していなければ（Ｓ５２：ＮＯ）、すでにデータを他の状況通信装置１から１件でも受信したか否かの判断が行われる（Ｓ５３）。まだデータを受信していないので（Ｓ５３：ＮＯ）、他の状況通信装置１からデータを受信したか否かの判断が行われる（Ｓ５４）。データを受信していなければ（Ｓ５４：ＮＯ）、Ｓ５２へ戻る。
【００９８】
データを受信すれば（Ｓ５４：ＹＥＳ）、受信したデータを解析して、ＲＡＭ３０の決定受信状況記憶エリアの指標情報（状況番号）が判断状況番号記憶エリアに記憶される（Ｓ５５）。そして、Ｓ５２へ戻る。そして、一定時間が経過していなければ（Ｓ５２：ＮＯ）、データを受信済みであるか否かの判断が行われるが（Ｓ５２）、判断状況記憶エリアが初期値の「０」でなく状況番号が記憶されていれば、すでにデータは受信済みであるので（Ｓ５３：ＹＥＳ）、Ｓ５２へ戻る。
【００９９】
そして、Ｓ５２〜Ｓ５５の処理が繰り返し行われ、一定時間が経過したら（Ｓ５２：ＹＥＳ））受信メイン処理へ戻る。
【０１００】
そして、出力メイン処理の他情報出力処理において、このようにして決定された状況番号に対応した色のＬＥＤ２１７〜２２２が点灯される。
【０１０１】
以上のようにして、第５の実施の形態では、最初に受信された指標情報が示す状況をＬＥＤ２１７〜２２２に表示することができる。
【０１０２】
次に、図２３乃至図２６を参照して、第６の実施の形態について説明する。第６の実施の形態では、所定時間（例えば、１０秒）に最も多くの指標情報を送信した状況通信装置１の最後の指標情報により示されている状況をＬＥＤ２１７〜２２２に表示する。
【０１０３】
図２３は、第６の実施の形態のＲＡＭ３０の記憶エリアの構成を示す模式図であり、図２４は、第６の実施の形態のＲＯＭ２０のＩＤ別受信件数記憶エリア５３４の構成を示す模式図であり、図２５は、第６の実施の形態の受信処理のフローチャートであり、図２６は、第６の実施の形態の受信処理の中で行われる判断処理のフローチャートである。
【０１０４】
まず、図２３を参照して、受信処理及び出力処理で使用される種々の変数について説明する。ＲＡＭ３０には、現在時刻記憶エリア５３１，状況カウンタＫ記憶エリア５３２，決定状況番号記憶エリア５３３，ＩＤ別受信件数記憶エリア５３４，状況番号記憶エリア５３５，状況数記憶エリア５３６，受信機器数記憶エリア５３７等が設けられている。
【０１０５】
現在時刻記憶エリア５３１には出力処理において一定時間の計測を開始する際の時刻がセットされ、状況カウンタＫ記憶エリア５３２では、判断処理において各状況の受信件数を読み出す際のループカウンタである状況カウンタＫが更新される。そして、決定状況番号記憶エリア５３３には、所定時間に最も多くの指標情報を送信した状況通信装置１の最後の指標情報により示されている状況の状況番号が記憶される。ＩＤ別受信件数記憶エリア５３４には、所定時間（例えば、１０秒）に受信した指標情報の件数が状況ごとにカウントされた値、指標情報を送信した状況通信装置１のＩＤ、指標情報が示す状況の番号が記憶される（図２４参照）。状況番号記憶エリア５３５には、判断処理において所定時間に最も多くの指標情報を送信した状況通信装置１をチェックする際にその時点で最も多くの指標情報を送信した状況通信装置１の最新の状況を示す状況番号が記憶される。状況数記憶エリア５３６には判断処理において状況ごとの受信件数をチェックする際にその時点で最も多いＩＤの件数が記憶される。そして、受信機器数記憶エリア５３７には受信処理において指標情報を受信した他の状況通信装置の数（ＩＤの種類の数）が記憶される。
【０１０６】
次に、図２４を参照して、ＩＤ別受信件数記憶エリア５３４について説明する。図２４に示すように、ＩＤ別受信件数記憶エリア５３４には送信元ＩＤ欄、件数欄、状況番号欄が設けられている。このＩＤ別受信件数記憶エリア５３４は、ここに記憶されていないＩＤの状況通信装置１からの指標情報を受信すると、送信元ＩＤ欄にＩＤがセットされ、件数欄に「１」がセットされ、指標情報（状況番号）が状況番号欄にセットされる。また、既に記憶されているＩＤの状況通信装置１からの指標情報を受信すると、送信元ＩＤ欄に同じＩＤが記憶されているレコードの件数欄に「１」が加算され、状況番号欄に指標情報（状況番号）がセットされる。
【０１０７】
図２４に示す例では、番号「１」のレコードの送信元ＩＤは「１０００」、件数は「２」、状況番号は「２」であり、番号「２」のレコードの送信元ＩＤは「１００３」、件数は「３」、状況番号は「２」であり、番号「３」のレコードの送信元ＩＤは「１００２」、件数は「１」、状況番号は「３」である。
【０１０８】
次に、図２５を参照して第６の実施の形態における受信処理について説明する。次に、図２６のフローチャートを参照して、受信処理の中で実施される判断処理について説明する。なお、受信メイン処理、出力メイン処理、他情報出力処理については第１の実施の形態と同様であるので、図８，図１１，図１２のフローチャートの説明を引用して説明を省略する。
【０１０９】
図２５に示すように、まず、ＩＤ別受信件数記憶エリア５３４がリセットされて１つもレコードがない状態とされ、受信機器数記憶エリア５３７に初期値の「０」がセットされ、一定時間（例えば、１０秒）を計測するために計時装置４０から現在時刻が取得され、ＲＡＭ３０の現在時刻記憶エリア５３１にセットされて計測が開始される（Ｓ６１）。
【０１１０】
次いで、一定時間が経過したか否かの判断が行われる（Ｓ６２）。ここでは、計時装置４０から現在時刻が取得され、現在時刻記憶エリア５３１に記憶されている時刻からの経過時間が計測されて、所定時間（例えば、１０秒）以上であるか否かが判断される。一定時間が経過していなければ（Ｓ６２：ＮＯ）、他の状況通信装置１から指標情報を受信したか否かの判断が行われる（Ｓ６３）。指標情報を受信していなければ（Ｓ６３：ＮＯ）、Ｓ６２へ戻る。指標情報を受信していれば（Ｓ６３：ＹＥＳ）、受信した指標情報を解析して、ＩＤ別受信件数記憶エリア５３４が更新される（Ｓ６４）。具体的には、最初の指標情報なので１つ目のレコードが作成されて、送信元ＩＤ欄には指標情報に含まれている送信元のＩＤ、件数欄に「１」、状況番号欄には指標情報（状況番号）が記憶される。そして、Ｓ６２へ戻る。なお、このＳ６４では、新しくレコードを作成する際に受信機器数記憶エリア５３７に「１」が加算される。
【０１１１】
そして、Ｓ６２〜Ｓ６４の処理が繰り返し行われ、一定時間が経過したら（Ｓ６２：ＹＥＳ）、判断処理が行われて（Ｓ６５、図２６参照）、受信メイン処理へ戻る。なお、指標情報を受信した場合に（Ｓ６３：ＹＥＳ）、受信した指標情報の送信元のＩＤが送信元ＩＤ欄に記憶されていない場合には、最後にレコードが１つ追加作成され、送信元ＩＤ欄にＩＤがセットされ、件数欄に「１」がセットされ、指標情報（状況番号）が状況番号欄にセットされる。また、指標情報を受信した場合に（Ｓ６３：ＹＥＳ）、受信した指標情報の送信元のＩＤが送信元ＩＤ欄に記憶されている場合には、送信元ＩＤ欄に同じＩＤが記憶されているレコードの件数欄に「１」が加算され、状況番号欄に指標情報（状況番号）がセットされる。
【０１１２】
判断処理では、図２６に示すように、まず、状況番号記憶エリア５３５に初期値の「０」、状況数記憶エリア５３６に初期値の「０」がセットされる（Ｓ７１）。そして、状況カウンタＫ記憶エリア５３２の状況カウンタＫに初期値の「１」がセットされる（Ｓ７２）。
【０１１３】
そして、全ての状況のチェックが終了したか否かを判断するために、状況カウンタＫの値が受信機器数より大きいか否かの判断が行われる（Ｓ７３）。受信機器数より大きくなければ（Ｓ７３：ＮＯ）、ＩＤ別受信件数記憶エリア５３４からＫ番目のレコードの状況の件数が読み出され、状況数記憶エリア５３６に記憶されている値と比較される（Ｓ７４）。読み出された件数の方が大きければ（Ｓ７４：ＹＥＳ）、ＩＤ別受信件数記憶エリア５３４からＫ番目の状況番号が読み出されて状況番号記憶エリア５３５に記憶され（Ｓ７５）、読み出された件数が状況数記憶エリア５３６に記憶される（Ｓ７６）。図２４に示す例では、１番目の状況の件数は「２」件、状況番号は「２」であり、状況数記憶エリア５３６には初期値の「０」が記憶されているので、状況番号記憶エリア５３５には「２」、状況数記憶エリア５３６には「２」が記憶される。そして、状況カウンタＫに「１」が加算されて「２」となり（Ｓ７７）、Ｓ７３へ戻る。
【０１１４】
Ｓ７３では、状況カウンタＫの値は「２」であり受信機器数「３」よりも大きくないので（Ｓ７３：ＮＯ）、２番目の状況の件数がＩＤ別受信件数記憶エリア５３４から「３」件であり、状況数記憶エリア５３６には「２」が記憶されているので、読み出された件数の方が大きいと判断され（Ｓ７４：ＹＥＳ）、状況番号記憶エリア５３５には「２」（Ｓ７５）、状況数記憶エリア５３６には「３」が記憶される（Ｓ７６）。そして、状況カウンタＫに「１」が加算されて「３」となり（Ｓ７７）、Ｓ７３へ戻る。
【０１１５】
そして、Ｓ７３では、状況カウンタＫの値は「３」であり受信機器数「３」よりも大きくないので（Ｓ７３：ＮＯ）、２番目の状況の件数がＩＤ別受信件数記憶エリア５３４から「１」件であり、状況数記憶エリア５３６には「３」が記憶されているので、読み出された件数の方が大きくないと判断され（Ｓ７４：ＮＯ）、そのままＳ７７へ進み、状況カウンタＫに「１」が加算されて「３」となり（Ｓ７７）、Ｓ７３へ戻る。そして、Ｓ７３では、状況カウンタＫの値が「４」であり受信機器数「３」よりも大きいので（Ｓ７３：ＹＥＳ）、状況番号記憶エリア５３５に記憶されている値が決定状況番号記憶エリア５３３に記憶される（Ｓ７８）。そして、受信処理へ戻り、受信メイン処理へ戻る。図２４に示す例では決定状況番号記憶エリア５３３には「２」が記憶されている。
【０１１６】
そして、出力メイン処理の他情報出力処理において、このようにして決定された状況番号に対応した色のＬＥＤ２１７〜２２２が点灯される。以上のようにして、第６の実施の形態では、もっとも多くの指標情報を送ってきた状況通信装置１の状況をＬＥＤ２１７〜２２２に表示することができる。
【０１１７】
次に、図２７乃至図３３を参照して、第７の実施の形態について説明する。第７の実施の形態では、最も短い間隔で指標情報を送信した状況通信装置１の最後の指標情報により示されている状況をＬＥＤ２１７〜２２２に表示する。
【０１１８】
図２７は、第７の実施の形態のＲＡＭ３０の構成を示す模式図であり、図２８は、ＲＡＭ３０の受信間隔時間記憶エリア６３４の構成を示す模式図であり、図２９は、ＲＡＭ３０の受信間隔時間記憶エリア６３４の構成を示す模式図であり、図３０は、ＲＡＭ３０の受信間隔時間記憶エリア６３４の構成を示す模式図であり、図３１は、第７の実施の形態の受信処理のフローチャートであり、図３２は、受信処理の中で行われるテーブル更新処理のフローチャートであり、図３３は、受信処理の中で行われる判断処理のフローチャートである。
【０１１９】
まず、図２７を参照して、受信処理及び出力処理で使用される種々の変数について説明する。ＲＡＭ３０には、現在時刻記憶エリア６３１，状況カウンタＫ記憶エリア６３２，決定状況番号記憶エリア６３３，受信間隔時間記憶エリア６３４，状況番号記憶エリア６３５，最も早い状況記憶エリア６３６，受信機器数記憶エリア６３７，受信間隔記憶エリア６３８等が設けられている。
【０１２０】
現在時刻記憶エリア６３１には出力処理において一定時間の計測を開始する際の時刻がセットされ、状況カウンタＫ記憶エリア６３２では、判断処理において各状況の受信件数を読み出す際のループカウンタである状況カウンタＫが更新される。そして、決定状況番号記憶エリア６３３には、最も短い間隔で指標情報を送信した状況通信装置１の最後の指標情報により示されている状況の状況番号が記憶される。受信間隔時間記憶エリア６３４には、所定時間（例えば、１０秒）に受信した指標情報を送信した状況通信装置１のＩＤ、そのＩＤの状況通信装置１の指標情報を最後に受信した時間、そのＩＤの状況通信装置１の指標情報を受信した間隔の最も短いものの時間、指標情報が示す状況の番号が記憶される（図２８〜図３０参照）。状況番号記憶エリア６３５には、判断処理において最も短い間隔で指標情報を送信した状況通信装置１をチェックする際にその時点で最も短い間隔で指標情報を送信した状況通信装置１の最新の状況を示す状況番号が記憶される。最も早い状況記憶エリア６３６には判断処理において状況ごとの受信件数をチェックする際にその時点で最も受信間隔の短いＩＤの状況番号が記憶される。そして、受信機器数記憶エリア６３７には受信処理において指標情報を受信した他の状況通信装置の数（ＩＤの種類の数）が記憶される。受信間隔記憶エリア６３８には、比較対照として算出される受信間隔が一時的に記憶される。
【０１２１】
次に、図２８乃至図２９を参照して、受信間隔時間記憶エリア６３４について説明する。図２８乃至図２９に示すように、受信間隔時間記憶エリア６３４には送信元ＩＤ欄、最新受信時間欄、受信間隔欄、状況番号欄が設けられている。この受信間隔時間記憶エリア６３４は、ここに記憶されていないＩＤの状況通信装置１からの指標情報を受信すると、送信元ＩＤ欄にＩＤがセットされ、最新受信時間欄に一定時間の計測が開始されてからの経過時間がセットされ、受信間隔欄に「１０”００」がセットされ、指標情報（状況番号）を状況番号欄にセットされる。また、既に記憶されているＩＤの状況通信装置１からの指標情報を受信すると、送信元ＩＤ欄に同じＩＤが記憶されているレコードの最新受信時間欄に一定時間の計測が開始されてからの経過時間がセットされ、受信間隔欄に最新受信時間欄に記憶されていた時間と経過時間との差がセットされ、状況番号欄に指標情報（状況番号）がセットされる。
【０１２２】
図２８に示す例は、送信元ＩＤが「１０００」，「１００３」，「１００２」の３つの状況通信装置１からの指標情報をいくつか受信しており、送信元ＩＤ「１０００」の最新受信時間が４”００，受信間隔が３”５０であり、最後の指標情報の示す状況は状況番号「２」である。送信元ＩＤ「１００３」の最新受信時間が５”５０，受信間隔が２”００であり、最後の指標情報の示す状況は状況番号「２」である。送信元ＩＤ「１００２」の最新受信時間が６”００，受信間隔が４”００であり、最後の指標情報の示す状況は状況番号「３」である。
【０１２３】
図２９に示す例は、図２８に示した状態から次に送信元ＩＤが「１０００」の状況番号「２」の指標情報を受信した際の更新後の受信間隔時間記憶エリア６３４の状態である。送信元ＩＤ「１０００」の最新受信時間が４”００から７”００となっており、受信間隔も７”００と４”００との差を取って３”００に変更されている。
【０１２４】
そして、図３０に示す例は、図２９に示した状態から次に送信元ＩＤ「１００１」の状況通信装置１から状況番号「１」の状況を示す指標情報を受信した際の更新後の受信間隔時間記憶エリア６３４の状態である。最後に送信元ＩＤ「１００１」のレコードが追加され、最新受信時間に８”００、受信間隔に１０”００、状況番号「１」がセットされている。
【０１２５】
次に、図３１乃至図３３のフローチャートを参照して、第７の実施の形態における受信処理について説明する。まず、受信間隔時間記憶エリア６３４がリセットされて１つもレコードがない状態とされ、受信機器数記憶エリア６３７に初期値の「０」がセットされ、一定時間（例えば、１０秒）を計測するために計時装置４０から現在時刻が取得され、ＲＡＭ３０の現在時刻記憶エリア６３１にセットされて計測が開始される（Ｓ８１）。
【０１２６】
次いで、一定時間が経過したか否かの判断が行われる（Ｓ８２）。ここでは、計時装置４０から現在時刻が取得され、現在時刻記憶エリア５３１に記憶されている時刻からの経過時間が計測されて、所定時間（例えば、１０秒）以上であるか否かが判断される。一定時間が経過していなければ（Ｓ８２：ＮＯ）、他の状況通信装置１から指標情報を受信したか否かの判断が行われる（Ｓ８３）。指標情報を受信していなければ（Ｓ８３：ＮＯ）、Ｓ８２へ戻る。指標情報を受信していれば（Ｓ８３：ＹＥＳ）、受信した指標情報を解析して、受信間隔時間記憶エリア６３４を更新するテーブル更新処理が行われる（Ｓ８４、図３２参照）。具体的には、最初の指標情報なので１つ目のレコードが作成されて、送信元ＩＤ欄には指標情報に含まれている送信元のＩＤ、最新受信時間欄に一定時間の計測が開始されてからの経過時間がセットされ、受信間隔欄に「１０”００」がセットされ、指標情報（状況番号）を状況番号欄にセットされる。そして、Ｓ８２へ戻る。
【０１２７】
そして、Ｓ８２〜Ｓ８４の処理が繰り返し行われ、一定時間が経過したら（Ｓ８２：ＹＥＳ））、判断処理が行われて（Ｓ８５、図３３参照）、受信メイン処理へ戻る。
【０１２８】
テーブル更新処理では、図３２に示すように、まず、受信機器数記憶エリア６３７の値が初期値の「０」であるか否かにより、最初に受信した指標情報であるか否かの判断が行われる（Ｓ９１）。そして、受信機器数記憶エリア６３７が「０」であれば（Ｓ９１：ＹＥＳ）、最も早い状況記憶エリア６３６に当該受信した指標情報（状況番号）が記憶される（Ｓ９２）。そして、受信間隔時間記憶エリア６３４の送信元ＩＤ欄に受信した指標情報の示すＩＤが記憶されているか否かの判断が行われる（Ｓ９３）。最初の指標情報を受信した際には、まだレコードが存在せず送信元ＩＤ欄にＩＤは記憶されていないから（Ｓ９３：ＮＯ）、新しいレコードが追加され、受信間隔欄には１０”００がセットされる（Ｓ９５）。そして、現在の時刻が計時装置４０から取得され、現在時刻記憶エリア６３１に記憶されている時刻との差が算出されて、最新受信時間欄にセットされ、指標情報（状況番号）が状況番号欄にセットされる（Ｓ９８）。そして、受信処理へ戻る。なお、Ｓ９５で新しくレコードを作成する際には、受信機器数記憶エリア６３７に「１」が加算される。
【０１２９】
また、２件目以降の指標情報を受信した際には、受信機器数は「０」でなく「１」であるので（Ｓ９１：ＮＯ）、最も早い状況記憶エリア６３６への状況番号のセットは必要なく、受信間隔時間記憶エリア６３４の送信元ＩＤ欄に受信した指標情報の示すＩＤが記憶されているか否かの判断が行われる（Ｓ９３）。すでに受信したことのあるＩＤの状況通信装置１からの指標情報であれば、受信間隔時間記憶エリア６３４の送信元ＩＤ欄にＩＤが記憶されているので（Ｓ９３：ＹＥＳ）、受信間隔記憶エリア６３８に前回の受信からの経過時間がセットされる（Ｓ９４）。具体的には、現在の時刻が計時装置４０から取得され、現在時刻記憶エリア６３１に記憶されている時刻との差が現在の時間として算出され、その現在の時間と受信間隔時間記憶エリア６３４の最新受信時間欄に記憶されている時間との差が算出される。
【０１３０】
そして、Ｓ９４で算出され受信間隔記憶エリア６３８に記憶されている時間と、受信間隔時間記憶エリア６３４の受信間隔欄に記憶されている時間とが比較され（Ｓ９６）、受信間隔記憶エリア６３８に記憶されている時間の方が短い場合には（Ｓ９６：ＹＥＳ）、その時間が受信間隔時間記憶エリア６３４の受信間隔欄に記憶される（Ｓ９７）。そして、現在の時刻が計時装置４０から取得され、現在時刻記憶エリア６３１に記憶されている時刻との差が算出されて、最新受信時間欄にセットされ、指標情報（状況番号）が状況番号欄にセットされる（Ｓ９８）。なお、Ｓ９６において、受信間隔記憶エリア６３８に記憶されている時間の方が短くない場合には（Ｓ９６：ＮＯ）、受信間隔時間記憶エリア６３４の受信間隔欄の更新は行われない。そして、受信処理へ戻る。
【０１３１】
次に、図３３のフローチャートを参照して判断処理について説明する。図３３に示すように、判断処理では、まず、状況番号記憶エリア５３５に初期値として最も早い状況記憶エリア６３６に記憶されている状況番号がセットされ、受信間隔記憶エリア６３８に初期値の１０秒がセットされる（Ｓ１０１）。そして、状況カウンタＫ記憶エリア５３２の状況カウンタＫに初期値の「１」がセットされる（Ｓ１０２）。
【０１３２】
そして、全ての状況のチェックが終了したか否かを判断するために、状況カウンタＫの値が受信機器数（図３０に示す例では「４」）より大きいか否かの判断が行われる（Ｓ１０３）。受信機器数より大きくなければ（Ｓ１０３：ＮＯ）、受信間隔時間記憶エリア６３４からＫ番目のレコードの受信間隔が読み出され、受信間隔記憶エリア６３８に記憶されている値と比較される（Ｓ１０４）。受信間隔時間記憶エリア６３４に記憶されている受信間隔の方が短ければ（Ｓ１０４：ＹＥＳ）、受信間隔時間記憶エリア６３４のＫ番目の状況番号欄の値が状況番号記憶エリア６３５に記憶され（Ｓ１０５）、受信間隔時間記憶エリア６３４のＫ番目の受信間隔欄に記憶されている値が受信間隔記憶エリア６３８に記憶される（Ｓ１０６）。図３０に示す例では、１つ目のＩＤ「１０００」の受信間隔は３”００であり、受信間隔記憶エリア６３８に記憶されている「１０”００」よりも短いので、状況番号記憶エリア６３５には１番目の状況番号「２」がセットされ、受信間隔記憶エリア６３８には３”００が記憶される。そして、状況カウンタＫに「１」が加算されて「２」となり（Ｓ１０７）、Ｓ１０３へ戻る。
【０１３３】
Ｓ１０３では、状況カウンタＫの値は「２」であり受信機器数よりも大きくないので（Ｓ１０３：ＮＯ）、２番目のＩＤの受信間隔時間は２”００であり、受信間隔記憶エリア６３８には３”００が記憶されているので、読み出された受信間隔の方が短いと判断され（Ｓ１０４：ＹＥＳ）、状況番号記憶エリア６３５には２番目の状況番号「２」、受信間隔記憶エリア６３８には「２”００」が記憶される。そして、状況カウンタＫに「１」が加算されて「３」となり（Ｓ１０７）、Ｓ１０３へ戻る。
【０１３４】
このようにして、Ｓ１０３〜Ｓ１０７の処理が繰り返され、状況カウンタＫの値が「４」であり受信機器数よりも大きくなったら（Ｓ１０３：ＹＥＳ）、受信間隔記憶エリア６３８に記憶されている値が決定状況番号記憶エリア６３３に記憶される（Ｓ１０８）。そして、受信処理へ戻り、受信メイン処理へ戻る。図３０に示す例では決定状況番号記憶エリア６３３には「２」が記憶されている。
【０１３５】
そして、出力メイン処理の他情報出力処理において、このようにして決定された状況番号に対応した色のＬＥＤ２１７〜２２２が点灯される。以上のようにして、第７の実施の形態では、最も短い間隔で指標情報を送信した状況通信装置１の最後の指標情報により示されている状況をＬＥＤ２１７〜２２２に表示することができる。
【０１３６】
なお、第１〜第７の実施の形態において、曲げセンサ１１，加速度センサ１２，温度センサ１３，光センサ１４，感圧センサ１５，湿度センサ１６，体温センサ１７，発汗センサ１８，心拍センサ１９が「計測手段」に該当し、フラッシュランプ２２，モーター２３，ヒーター２４，スピーカー２５，マイク２９が「状況表現手段」に該当する。そして、送受信部５０が「送信手段」及び「受信手段」に該当する。
【０１３７】
そして、図５に示すＲＯＭ２０の出力情報記憶エリア１２１が「制御情報決定手順記憶手段」に該当する。図１２に示す他情報出力処理，図１１の出力メイン処理のＳ１０１の処理を行うＣＰＵ１０が「状況表現制御手段」に相当する。図１１に示す出力メイン処理のＳ１０３の処理を行うＣＰＵ１０が「指標情報作成手段」及び「指標情報決定手段」に相当する。図１２に示す他情報出力処理，図１１の出力メイン処理のＳ１０１が「状況表現制御手段」に相当する。
【０１３８】
また、第１の実施の形態においては、図９に示す受信処理Ｓ９の処理を行うＣＰＵ１０が「計数手段」に相当し、図１０に示す判断処理の処理を行うＣＰＵ１０が「情報選択手段」に相当する。そして、第２の実施の形態においては、図９に示す受信処理Ｓ９の処理を行うＣＰＵ１０が「計数手段」に相当し、図１４に示すＲＯＭ２０レベル値記憶エリア１２２が「レベル値記憶手段」に該当する。図１５に示す判断処理Ｓ２５の処理を行うＣＰＵ１０が「レベル積値算出手段」に相当し、図１５に示す判断処理Ｓ２７の処理を行うＣＰＵ１０が「平均算出手段」に相当し、図１５に示す判断処理Ｓ２８の処理を行うＣＰＵ１０が「最寄値判定手段」に相当し、図１５に示す判断処理の処理を行うＣＰＵ１０が「情報選択手段」に相当する。
【０１３９】
そして、第３の実施の形態においては、図９に示す受信処理のＳ９の処理を行うＣＰＵ１０が「計数手段」に相当し、図１７に示すＲＯＭ２０のレベル値記憶エリア１２３が「レベル値記憶手段」に該当する。図１８に示す判断処理のＳ３１〜Ｓ３５の処理を行うＣＰＵ１０が「レベル値判定手段」に相当し、図１８に示す判断処理の処理を行うＣＰＵ１０が「情報選択手段」に相当する。そして、第４の実施の形態においては、図９に示す受信処理のＳ９の処理を行うＣＰＵ１０が「計数手段」に相当し、図２０に示すＲＯＭ２０の重み係数記憶エリア１２４が「重み係数記憶手段」に該当する。図２１に示す判断処理のＳ４４，Ｓ４６の処理を行うＣＰＵ１０が「重み係数積値算出手段」に相当し、図２１に示す判断処理のＳ４１〜Ｓ４７の処理を行うＣＰＵ１０が「情報選択手段」に相当する。
【０１４０】
そして、第５の実施の形態においては、図２２に示す受信処理の処理を行うＣＰＵ１０が「情報選択手段」に相当する。第６の実施の形態においては、図２４に示すＲＡＭ３０のＩＤ別受信件数記憶エリア５３４が「ＩＤ別計数手段」に相当し、図２６に示す判断処理の処理を行うＣＰＵ１０が「情報選択手段」に相当する。第７の実施の形態においては、図３２に示すテーブル更新処理のＳ９４の処理を行うＣＰＵ１０が「受信間隔時間計測手段」に相当し、図３３に示す判断処理の処理を行うＣＰＵ１０が「情報選択手段」に相当する。
【０１４１】
なお、本発明の状況通信装置及び状況通信プログラムは、上記した実施の形態に限定されるものではなく、本発明の要旨を逸脱しない範囲内において種々変更を加え得ることは勿論である。第１〜第７の実施の形態では、出力情報をＲＯＭ２０に記憶しているが、ＲＯＭ２０でなくＲＡＭ３０に記憶させて書き換え可能とし、利用者に各状況での表示色を設定するメニューを設けて好みの色に設定できるようにしてもよい。また、状況の種類も上記説明した使用者の６つの状況に限らず、それ以外の状況であってもよく、使用者により登録するようにしてもよいことはいうまでもない。
【０１４２】
また、本第３の実施の形態では、最もレベル値の高い状況を選択したが、最もレベル値の低い状況を選択するようにしてもよい。これには、例えばレベル値の低い順に状況番号を設定してレベル値記憶エリアに記憶してもよいし、レベル値記憶エリア１２３は図１７に示すようにレベル値の高い順とし、図１８に示す判断処理のＳ３２で状況番号の最大値をセットし、Ｓ３６において状況カウンタＫから「１」減算するようにすればよい。またさらに、最もレベル値の高い状況と最もレベル値の低い状況の両方を選択し、２つを交互に表示するようにしてもよい。また、レベル値の高い状況とレベル値の低い状況とのどちらを表示するかを使用者が選択できるようにしてもよい。なお、第４の実施の形態では、重み係数記憶エリア１２４もＲＯＭ２０に設けたが、ＲＯＭ２０でなくＲＡＭ３０に記憶させて書き換え可能とし、利用者に各状況での重み係数を設定するメニューを設けて好みの重み係数に設定できるようにしてもよい。
【０１４３】
なお、第５の実施の形態では、最初に受信した指標情報の状況を選択したが、行って時間のうち最後に受信した指標情報を選択してもよい。その場合には、図２２に示す受信処理のＳ５３における受信済みか否かの判断を行わないようにすればよい。また、第３の実施の形態では、受信番号ごとに件数をカウントしたが、最もレベル値の大きい状況を選択すればよいので、件数はカウントせずにその状況の指標情報を受信したか否かのフラグを持つのみにしてもよい。
【０１４４】
また、どの方法で表示する指標情報を選択するかの方法を、上記第１〜第７の実施の形態の方法や変形例の方法のうちのいくつかの方法から遊技者が選択するようにしてもよい。なお、このように遊技者が何らかの入力を行う場合には、予め利用者が何らかの入力を行う場合のセンサ値（たとえば、加速度センサ１２や曲げセンサ１１の値）を記憶させておき、振る回数や握る回数など（利用者のジェスチャ）を識別して、出力メイン処理（図１１参照）の感情推論／環境推論処理（Ｓ１０３）の前に利用者による入力が行われているか否かの判断を行う。そして、利用者による入力が行われていると判断された場合には、それに対応する処理が行われ、利用者による入力が行われていると判断されない場合には感情推論／環境推論処理（Ｓ１０３）が行われる。なお、利用者による入力に対応する処理においても、入力は利用者によるジェスチャで行われる。
【産業上の利用可能性】
【０１４５】
本発明の状況通信装置及び状況通信プログラムは、複数の他の状況通信装置から情報を受信したり、１つの状況通信装置から複数の送信される複数の情報を受信したりするような状況通信装置及び状況通信プログラムに適応可能である。
【図面の簡単な説明】
【０１４６】
【図１】本発明の状況通信装置１を用いた状況表示システムの構成を示すシステム構成図である。
【図２】状況通信装置１の平面図である。
【図３】状況通信装置１の底面図である。
【図４】状況通信装置１の電気的構成を示すブロック図である。
【図５】ＲＯＭ２０の出力情報記憶エリア１２１の構成を示す模式図である。
【図６】第１の実施の形態のＲＡＭ３０の記憶エリアの構成を示す模式図である。
【図７】第１の実施の形態のＲＡＭ３０の受信件数記憶エリア１３５の構成を示す模式図である。
【図８】受信メイン処理のフローチャートである。
【図９】第１の実施の形態の受信メイン処理の中で行われる受信処理のフローチャートである。
【図１０】第１の実施の形態の受信処理の中で行われる判断処理のフローチャートである。
【図１１】出力メイン処理のフローチャートである。
【図１２】出力メイン処理の中で行われる他情報出力処理のフローチャートである。
【図１３】第２の実施の形態のＲＡＭ３０の記憶エリアの構成を示す模式図である。
【図１４】第２の実施の形態のＲＯＭ２０のレベル値記憶エリア１２２の構成を示す模式図である。
【図１５】第３の実施の形態の判断処理のフローチャートである。
【図１６】第３の実施の形態のＲＡＭ３０の記憶エリアの構成を示す模式図である。
【図１７】第３の実施の形態のＲＯＭ２０のレベル値記憶エリア１２３の構成を示す模式図である。
【図１８】第３の実施の形態の判断処理のフローチャートである。
【図１９】第４の実施の形態のＲＡＭ３０の記憶エリアの構成を示す模式図である。
【図２０】第４の実施の形態のＲＯＭ２０の重み係数記憶エリア１２４の構成を示す模式図である。
【図２１】第４の実施の形態の判断処理のフローチャートである。
【図２２】第５の実施の形態の受信処理のフローチャートである。
【図２３】第６の実施の形態のＲＡＭ３０の記憶エリアの構成を示す模式図である。
【図２４】第６の実施の形態のＲＯＭ２０のＩＤ別受信件数記憶エリア５３４の構成を示す模式図である。
【図２５】第６の実施の形態の受信処理のフローチャートである。
【図２６】第６の実施の形態の受信処理の中で行われる判断処理のフローチャートである。
【図２７】第７の実施の形態のＲＡＭ３０の構成を示す模式図である。
【図２８】ＲＡＭ３０の受信間隔時間記憶エリア６３４の構成を示す模式図である。
【図２９】ＲＡＭ３０の受信間隔時間記憶エリア６３４の構成を示す模式図である。
【図３０】ＲＡＭ３０の受信間隔時間記憶エリア６３４の構成を示す模式図である。
【図３１】第７の実施の形態の受信処理のフローチャートである。
【図３２】受信処理の中で行われるテーブル更新処理のフローチャートである。
【図３３】受信処理の中で行われる判断処理のフローチャートである。
【符号の説明】
【０１４７】
１  状況通信装置
１０  ＣＰＵ
１１  曲げセンサ
１２  加速度センサ
１３  温度センサ
１４  光センサ
１５  感圧センサ
１６  湿度センサ
１７  体温センサ
１８  発汗センサ
１９  心拍センサ
２０  ＲＯＭ
２２  フラッシュランプ
２３  モーター
２４  ヒーター
２５  スピーカー
２９  マイク
３０  ＲＡＭ
４０  計時装置
５０  送受信部
１２１  出力情報記憶エリア
１２２  レベル値記憶エリア
１２３  レベル値記憶エリア
１２４  重み係数記憶エリア
１３４  決定状況番号記憶エリア
１３５  受信件数記憶エリア
２１１〜２２２  ＬＥＤ
２３３  決定状況番号記憶エリア
２３４  受信件数記憶エリア
２３６  レベル値合計記憶エリア
２３７  平均値記憶エリア
３３３  決定状況番号記憶エリア
３３４  受信件数記憶エリア
４３３  決定状況番号記憶エリア
４３４  受信件数記憶エリア
４３６  スコア記憶エリア
５３３  決定状況番号記憶エリア
５３４  ＩＤ別受信件数記憶エリア
６３３  決定状況番号記憶エリア
６３４  受信間隔時間記憶エリア
６３８  受信間隔記憶エリア
【図１】
2007036942.tif 000003
【図２】
2007036942.tif 000004
【図３】
2007036942.tif 000005
【図４】
2007036942.tif 000006
【図５】
2007036942.tif 000007
【図６】
2007036942.tif 000008
【図７】
2007036942.tif 000009
【図８】
2007036942.tif 000010
【図９】
2007036942.tif 000011
【図１０】
2007036942.tif 000012
【図１１】
2007036942.tif 000013
【図１２】
2007036942.tif 000014
【図１３】
2007036942.tif 000015
【図１４】
2007036942.tif 000016
【図１５】
2007036942.tif 000017
【図１６】
2007036942.tif 000018
【図１７】
2007036942.tif 000019
【図１８】
2007036942.tif 000020
【図１９】
2007036942.tif 000021
【図２０】
2007036942.tif 000022
【図２１】
2007036942.tif 000023
【図２２】
2007036942.tif 000024
【図２３】
2007036942.tif 000025
【図２４】
2007036942.tif 000026
【図２５】
2007036942.tif 000027
【図２６】
2007036942.tif 000028
【図２７】
2007036942.tif 000029
【図２８】
2007036942.tif 000030
【図２９】
2007036942.tif 000031
【図３０】
2007036942.tif 000032
【図３１】
2007036942.tif 000033
【図３２】
2007036942.tif 000034
【図３３】
2007036942.tif 000035